(57)【特許請求の範囲】
【請求項１】
端末が移動通信システムにおいて測定を行う方法であって、
前記端末が、セカンダリセルから受信されるディスカバリ信号の測定設定情報を受信するステップと、
前記端末が、前記ディスカバリ信号を伝達する直交周波数分割多重（ＯＦＤＭ）シンボル上で無線リソース測定を行うステップと、を有し、
前記測定設定情報は、前記ディスカバリ信号の周波数、前記ディスカバリ信号の優先順位、および前記ディスカバリ信号のサブフレームオフセットを指示し、
前記測定設定情報は、無線リソース制御（ＲＲＣ）メッセージを介して受信される、方法。
【請求項２】
前記セカンダリセルは、セルオフ要求によりターンオフされるよう構成される、請求項１に記載の方法。
【請求項３】
前記ディスカバリ信号は、プライマリ同期信号（ＰＳＳ）、セカンダリ同期信号（ＳＳＳ）、およびセル固有参照信号（ＣＲＳ）を有する、請求項１に記載の方法。
【請求項４】
前記無線リソース測定は、参照信号受信電力（ＲＳＲＰ）測定もしくは受信信号強度指示子（ＲＳＳＩ）測定を有する、請求項１に記載の方法。
【請求項５】
移動通信システムにおける測定を行う端末であって、
無線信号を受信するよう構成された送受信部と、
プロセッサと、を有し、前記プロセッサは、
セカンダリセルから受信されるディスカバリ信号の測定設定情報を受信し、
前記ディスカバリ信号を伝達する直交周波数分割多重（ＯＦＤＭ）シンボル上で無線リソース測定を行うよう構成され、
前記測定設定情報は、前記ディスカバリ信号の周波数、前記ディスカバリ信号の優先順位、および前記ディスカバリ信号のサブフレームオフセットを指示し、
前記測定設定情報は、無線リソース制御（ＲＲＣ）メッセージを介して受信される、端末。
【請求項６】
前記セカンダリセルは、セルオフ要求によりターンオフされるよう構成される、請求項５に記載の端末。
【請求項７】
前記ディスカバリ信号は、プライマリ同期信号（ＰＳＳ）、セカンダリ同期信号（ＳＳＳ）、およびセル固有参照信号（ＣＲＳ）を有する、請求項５に記載の端末。
【請求項８】
前記無線リソース測定は、参照信号受信電力（ＲＳＲＰ）測定もしくは受信信号強度指示子（ＲＳＳＩ）測定を有する、請求項５に記載の端末。
【発明の詳細な説明】
【技術分野】
【０００１】
本発明は、無線通信に関し、さらに詳細には、無線通信システムにおける無線資源管理および測定を行うための方法および装置に関する。
【背景技術】
【０００２】
ＵＭＴＳ（Universal Mobile Telecommunications System）の改良版である３ＧＰＰ（3rd Generation Partnership Project）  ＬＴＥ（Long Term Evolution）は、３ＧＰＰリリース（release）８として紹介されている。３ＧＰＰ  ＬＴＥは、ダウンリンクにおいてＯＦＤＭＡ（Orthogonal Frequency Division Multiple Access）を使用し、アップリンクにおいてＳＣ−ＦＤＭＡ（Single Carrier-Frequency Division Multiple Access）を使用する。最大４個のアンテナを有するＭＩＭＯ（Multiple Input Multiple Output）を採用する。最近では、３ＧＰＰ  ＬＴＥの発展型である３ＧＰＰ  ＬＴＥ−Ａ（LTE-Advanced）に対する議論が進行中である。
【０００３】
３ＧＰＰ  ＬＴＥ（Ａ）システムの商業化が最近加速されている。ＬＴＥシステムは、音声サービスのように移動性を確保しながらもより高い品質およびより高い容量をサポート（支援）（support）できるサービスに対するユーザの要求によって、さらに速く広がっている。ＬＴＥシステムは、小さい転送（送信）（transmission）遅延、高い転送速度およびシステム容量、ならびに拡張されたカバレッジを提供する。
【０００４】
ユーザの要求によるサービス容量を増加させるために、帯域幅を増加させることは必須である。キャリアアグリゲーション（搬送波集成）（Carrier Aggregation；ＣＡ）技術は、効果を得るのを目標として、あたかも論理的により広いバンドが使用されるかのように、周波数領域において複数の物理的不連続バンドをグループ化することによって、断片化された（fragmented）小さいバンドを効率的に使用するように発展している。キャリアアグリゲーションによりグループ化された個々の単位搬送波は、コンポーネントキャリア（要素搬送波）（Component Carrier；ＣＣ）として知られている。各々のコンポーネントキャリアは、一つの帯域幅および中心周波数で定義される。
【０００５】
複数のコンポーネントキャリアを介して広帯域でデータが送受信されるシステムは、多重（マルチ）コンポーネントキャリアシステム（multi-CC system）もしくはキャリアアグリゲーション環境と呼ぶことができる。多重コンポーネントキャリアシステムは、一つもしくは複数の搬送波を使用することによって、狭帯域および広帯域の両方を行う。例えば、各々の副搬送波が２０ＭＨｚの帯域幅に対応（相応）する（correspond）場合、最大帯域幅１００ＭＨｚは、５個の搬送波を使用してサポートされることができる。
【０００６】
多重コンポーネントキャリアシステムを動作させるために、ｅＮＢ（enhanced Node B）などの基地局（ＢＳ）とターミナル（Terminal）などの端末（ＵＥ）との間に多様な制御信号が必要とされる（required）。また、多重コンポーネントキャリアのための効率的なｃｅｌｌ  ｐｌａｎｎｉｎｇ（セルプランニング）も必要とされる。また、多様な信号もしくは効率的なｃｅｌｌ  ｐｌａｎｎｉｎｇ方式（技法）（scheme）は、セル間干渉の減少（inter-cell interference reduction）および搬送波の拡張（carrier extensions）をサポートするために、ｅＮＢと端末との間で転送を行うのに必要とされる。その上、端末のためのｅＮＢ間の調整によるノード間資源割り当て（inter-node resource allocation）は、多重コンポーネントキャリアアグリゲーションが多数のｅＮＢ／ノードにわたって達成される場合、実現可能である。必然的に転送される新しい搬送波を含むｃｅｌｌ  ｐｌａｎｎｉｎｇのための効率的な動作方式によって制御を制限し（もしくは除去し）、小規模セルクラスタ環境（small cell cluster environment）での端末は、測定ポイントから定義される必要がある。（An efficient operation scheme for the cell planning including a new carrier which is necessarily transmitted restricted (or eliminated) controls and UE in a small cell cluster environment needs to be defined from a measurement point.）
【発明の概要】
【発明が解決しようとする課題】
【０００７】
本発明は、無線通信システムにおけるセル管理（cell management）を行うための方法および装置を提供する。
【０００８】
また、本発明は、無線通信システムにおける無線資源測定および報告を行うための方法および装置を提供する。
【０００９】
本発明は、無線通信システムにおける無線資源管理もしくは無線リンク管理を行うための方法および装置を提供する。
【課題を解決するための手段】
【００１０】
一側面において、無線通信システムにおける測定を行うための方法が提供される。方法は、測定タイプ（measurement type)に関する情報を識別し、測定タイプは、第１測定対象（measurement object)および第２測定対象のうちの何れか一つを指示し、測定タイプにより指示される測定対象に関する測定信号（measurement signal）を使用して（using a measurement signal for the measurement object indicated by the measurement type）測定を行うことを有することができる。
【００１１】
方法は、基地局から測定設定（measurement configuration)を受信し、測定設定は、セル情報および第１測定対象と第２測定対象に関する情報を有し、セル情報は、第１測定対象もしくは第２測定対象が適用されるセルを指示し、第１測定対象は、第１サブフレームフィールド（subframe field)および第１測定資源フィールド（measurement resource field)を指示し、第１サブフレームフィールドは、測定が行われる複数のサブフレームのうち、少なくとも一つのサブフレームを指示し、測定資源フィールドは、測定が行われる資源ブロックを指示し、第２測定対象は、第２サブフレームフィールドおよび第２測定資源フィールドを指示し、第２サブフレームフィールドは、測定が適用される複数のサブフレームのうち、少なくとも一つのサブフレームを指示し、第２測定資源フィールドは、測定が適用される資源ブロックを指示することをさらに有することができる。
【００１２】
方法は、測定タイプが第１測定対象を指示し、セル情報により指示されるセルは、測定信号のための不連続転送（Discontinuous Transmission；ＤＴＸ）セル（cell）であり、測定タイプが第２測定対象を指示するとき、セル情報により指示されるセルは、測定信号のための連続転送（continuous transmission）セルであることをさらに有することができる。
【００１３】
方法は、さらに、測定信号がディスカバリ信号（discovery signal）、測定参照信号（Measurement Reference Signal；ＭＲＳ）およびセル共通参照信号（Cell-common Reference Signal；ＣＲＳ）のうちの何れか一つを有することができる。
【００１４】
さらに他の側面において、無線通信システムにおける測定を行うための無線装置が提供される。無線装置は、無線信号を送受信するための無線周波（Radio Frequency；ＲＦ）部と、ＲＦ部に動作可能に（operatively）接続するプロセッサとを有し、プロセッサは、制限された測定を指示する測定タイプを決定し、測定タイプに応じて制限された測定で設定されたサブフレームにおいて測定信号を使用して測定を行うこととして設定される。
【発明の効果】
【００１５】
本発明は、複数のセル間の干渉問題を改善するために、搬送波（もしくはセル）の新しい形式を含む改良通信システムを提供する。また、本発明は、セル固有参照信号（Cell specific RS）がすべてのサブフレームから転送されない場合、上記新しい搬送波タイプ（type）のための制限された測定を含む測定を行うためのメカニズムを提供する。さらに詳細には、本発明は、測定指示子に対応して適応的な測定を行う。したがって、本発明は、また、バッテリの消費、セルエッジ（cell-edge）における端末のためのＱｏＳ（Quality of Service）および搬送波拡張可能性の利点（benefits）も維持できる。このように、より効率的でかつ正確なｃｅｌｌ  ｐｌａｎｎｉｎｇおよび適応的な測定は、本発明によりサポートされる。
【図面の簡単な説明】
【００１６】
【図１】本発明が適用される無線通信システムを示す図である。
【図２】本発明の好ましい実施の形態に係るキャリアアグリゲーション技術の概念を示す図である。
【図３】本発明が適用されるダウンリンク制御の構造を示す図である。
【図４】本発明の好ましい実施の形態として測定タイプに応じた管理を行うタイムフロー（time flow）を示す図である。
【図５】本発明の好ましい実施の形態として制限された測定セットを示す図である。
【図６】本発明の実施の形態に係るＲＲＭ／ＲＬＭ測定を決定するのに好ましいフローチャートを示す図である。
【図７】本発明の実施の形態に係るＲＲＭ／ＲＬＭ測定を決定するのに好ましいフローチャートを示す図である。
【図８】本発明の好ましい実施の形態に係る資源ブロック（ＲＢ）ごとのＲＲＭ測定を示す図である。
【図９】本発明の好ましい実施の形態に係る資源ブロック（ＲＢ）ごとのＲＲＭ測定を示す図である。
【図１０】本発明の好ましい実施の形態に係る無線通信システムを示すブロック図を示す図である。
【発明を実施するための形態】
【００１７】
図１は、本発明が適用される無線通信システムを示す。これは、Ｅ−ＵＴＲＡＮ（Evolved-UMTS Terrestrial Radio Access Network）もしくはＬＴＥ（Long Term Evolution）／ＬＴＥ−Ａシステムとも呼ぶことができる。
【００１８】
Ｅ−ＵＴＲＡＮは、端末（User Equipment；ＵＥ）１０に制御プレーン（control plane）およびユーザプレーン（user plane）を提供する基地局（Base Station；ＢＳ）２０を備える。端末１０は、固定されるか、もしくは移動性を有することができ、ＭＳ（Mobile station）、ＵＴ（User Terminal）、ＳＳ（Subscriber Station）、ＭＴ（mobile terminal）、無線機器（Wireless Device）等、他の用語で呼ぶことができる。基地局２０は、端末１０と通信する固定された地点（fixed station）のことを意味し、ｅＮＢ（evolved-Node B）、ＢＴＳ（Base Transceiver System）、アクセスポイント（Access Point）等、他の用語で呼ぶことができる。
【００１９】
無線通信システムに適用される多重接続方式は制限されない。すなわち、ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＳＣ−ＦＤＭＡ（Single Carrier-FDMA）、ＯＦＤＭ−ＦＤＭＡ、ＯＦＤＭ−ＴＤＭＡ、ＯＦＤＭ−ＣＤＭＡなどの多様な多重接続方式を使用することができる。アップリンク転送およびダウンリンク転送に対して、異なる時間を使用することによって転送するＴＤＤ（Time Division Duplex）方式、もしくは異なる周波数を使用することによって転送するＦＤＤ（Frequency Division Duplex）方式を使用することができる。
【００２０】
基地局２０は、Ｘ２インタフェースを介して互いに接続されることができる。基地局２０は、Ｓ１インタフェースを介してＥＰＣ（Evolved Packet Core）３０、さらに詳細には、Ｓ１−ＭＭＥを介してＭＭＥ（Mobility Management Entity）と、Ｓ１−Ｕを介してＳ−ＧＷ（Serving GateWay）と、接続される。
【００２１】
ＥＰＣ３０は、ＭＭＥ、Ｓ−ＧＷおよびＰ−ＧＷ（Packet Data Network-GateWay）から構成される。ＭＭＥは、端末の接続情報や端末の能力に関する情報を有しており、このような情報は、端末の移動性管理に主に使用される。Ｓ−ＧＷは、Ｅ−ＵＴＲＡＮを終端点として有するゲートウェイであり、Ｐ−ＧＷは、ＰＤＮを終端点として有するゲートウェイである。
【００２２】
端末とネットワークとの間の無線インタフェースプロトコル（Radio Interface Protocol）の階層は、通信システムにおいて広く知られた開放型システム間相互接続（Open System Interconnection；ＯＳＩ）基準モデルの下位３層（layer）に基づいてＬ１（第１層）、Ｌ２（第２層）、Ｌ３（第３層）に区分されることができるが、この中で第１層に属する物理層は、物理チャネル（Physical Channel）を利用した情報転送サービス（Information Transfer Service）を提供し、第３層に位置する無線リソース制御（Radio Resource Control；ＲＲＣ）層は、端末とネットワークとの間で無線資源（リソース）（resource）を制御する役割を行う。このために、ＲＲＣ層は、端末と基地局との間のＲＲＣメッセージを交換する。
【００２３】
本発明の無線通信システムは、ＰＤＣＣＨ（Physical Downlink Control CHannel）検出のために、ブラインドデコードを使用する。ブラインドデコードは、ＣＲＣエラーの確認を行うことによってＰＤＣＣＨが自体のチャネルである否かを決定するために、望ましい識別子がＰＤＣＣＨのＣＲＣからデマスク（de-masking）される（desired identifier is de-masked from a CRC of a PDCCH）方式である。ｅＮＢは、端末に転送されるＤＣＩ（Downlink Control Information）に応じてＰＤＣＣＨフォーマットを決定する。そして、ｅＮＢは、ＤＣＩにＣＲＣを付着し（付属させ）（attach）、所有者もしくはＰＤＣＣＨの使用に応じて、ＣＲＣに固有の識別子（ＲＮＴＩ（Radio Network Temporary Identifier）で表す）をマスク（masking）する。例えば、ＰＤＣＣＨが特定の端末のためのものであれば、上記端末固有の識別子（例えば、Ｃ−ＲＮＴＩ（Cell-RNTI））は、ＣＲＣにマスクされることができる。または、仮にＰＤＣＣＨがページングメッセージのためのものであれば、ページング指示識別子（例えば、Ｐ−ＲＮＴＩ（Paging-RNTI））は、ＣＲＣにマスクされることができる。ＰＤＣＣＨがシステム情報（より具体的には、以下に述べられたＳＩＢ（System Information Block））のためのものであれば、システム情報識別子およびｓｙｓｔｅｍ  ｉｎｆｏｒｍａｔｉｏｎ  ＲＮＴＩ（例えば、ＳＩ−ＲＮＴＩ）は、ＣＲＣにマスクされることができる。端末のランダムアクセスプリアンブルの転送のための応答であるランダムアクセス応答を指示するために、ｒａｎｄｏｍ  ａｃｃｅｓｓ−ＲＮＴＩ（例えば、ＲＡ−ＲＮＴＩ）は、ＣＲＣにマスクされることができる。
【００２４】
図２は、本発明の好ましい実施の形態に係るキャリアアグリゲーション技術の概念を示す。
【００２５】
図２に示すように、多重コンポーネントキャリアが集約（集成）される（aggregated）とき（ここでは、３個の搬送波が存在する）３ＧＰＰ  ＬＴＥ−Ａ（LTE-Advanced）システムにおいて考慮されるＤＬ／ＵＬサブフレーム構造が示される。端末は、同時に複数の（多重）（multiple）ＤＬ  ＣＣからＤＬ信号／データをモニタリングして受信することができる。しかしながら、一つのセルがＮ個のＤＬ  ＣＣを管理しているとしても、端末がモニタリングするＤＬ信号／データをＭ個のＤＬ  ＣＣに制限するために（so that the UE's monitoring of the DL signal/data is limited to those M DL CCs）、Ｍ≦Ｎの場合、ネットワークは、端末をＭ個のＤＬ  ＣＣに設定できる。追加として、ネットワークは、Ｌ≦Ｍ≦Ｎの場合、端末固有であるかもしくはセル固有であるかに関わらず、端末がＤＬ信号／データを優先してモニタリング／受信しなければならない主要なＤＬ  ＣＣとしてＬ個のＤＬ  ＣＣを設定できる。（In addition, the network may configure L DL CCs as the main DL CCs from which the UE should monitor/receive DL signal/data with a priority, either UE-specifically or cell-specifically, where L≦M≦N.）それにより、端末は、端末自体の容量（capability）に応じて、一つもしくは複数の搬送波（搬送波１もしくは２以上の搬送波２．．Ｎ）をサポートできる。
【００２６】
以下、ＣＣは、活性化の有無に応じてＰＣＣ（Primary Component Carrier）とＳＣＣ（Secondary Component Carrier）とに分けられることができる。ＰＣＣは、活性化され続ける搬送波で、ＳＣＣは、特定の条件によって活性化もしくは非活性化される搬送波である。ＰＣＣと同様に、活性化され続けるものだけでなく、活性化されないもしくは非活性化された（not be activated or deactivated）一つもしくは複数の特別なＳＣＣがありうることに注目すべきである。ここで、活性化は、トラフィックデータが転送もしくは受信される状態、もしくはトラフィックデータが転送もしくは受信される準備ができた状態を示す。非活性化は、トラフィックデータが転送もしくは受信されることができず、最小限の情報の測定、転送もしくは受信が使用可能な状態を示す。その上、ＰＣＣおよび／もしくはＳｕｐｅｒ  ＳＣＣは、ビットとしての活性化／非活性化の指示を使用して活性化もしくは非活性化されることができる。端末は、はじめに初期アクセスにおいてプライマリセル（Primary serving cell；Ｐｃｅｌｌ）としてのＰＣＣ上にキャンプ（camp）できる。端末は、ただ一つのプライマリコンポーネントキャリア（primary component carrier）、または、プライマリコンポーネントキャリアと共に、一つもしくは複数のセカンダリコンポーネントキャリア（secondary component carrier）を使用することができる。端末は、基地局からプライマリコンポーネントキャリアおよび／もしくはセカンダリコンポーネントキャリアが割り当てられることができる。ノード間リソース（資源）アグリゲーション（集成）（inter-node resource aggregation）が達成される場合、端末は、潜在的に他の基地局からのセカンダリコンポーネントキャリアだけでなく、ＰＣＣと類似の機能を行うＳｕｐｅｒ  ＳＣＣで設定されうることに注目すべきである。
【００２７】
ＰＣＣおよび／もしくはＳｕｐｅｒ  ＳＣＣは、基地局と端末との間でプライマリ制御情報アイテムが交換される搬送波である。ＳＣＣは、端末からの要求（要請）（request）もしくは基地局からの指示に応じて割り当てられる搬送波である。ＰＣＣおよび／もしくはＳｕｐｅｒ  ＳＣＣは、端末がネットワークに入っていくために使用され、および／もしくは、ＳＣＣを割り当てるために使用される。ＰＣＣおよび／もしくはＳｕｐｅｒ  ＳＣＣは、特定の搬送波に固定されるより、むしろセット全体の搬送波（集合）（entire set carriers）の中から選択されることができる。ＳＣＣとしての搬送波セットは、またノード間リソースアグリゲーションのシナリオ／設定（scenario／setup）に応じて、ＰＣＣもしくはＳｕｐｅｒ  ＳＣＣに変わることができる。
【００２８】
上で述べたように、ＤＬ  ＣＣは、一つのサービングセルを構成し、ＤＬ  ＣＣおよびＵＬ  ＣＣは、互いに接続されることによって、一つのサービングセルを構成できる。その上、ＰＣｅｌｌ（primary serving cell）は、ＰＣＣに対応し、セカンダリセル（secondary serving cell；ＳＣｅｌｌ）は、ＳＣＣに対応する。各搬送波および搬送波の組み合わせは、また、ＰＣｅｌｌもしくはＳＣｅｌｌとして各一つのサービングセルで表すこともできる。これは、上記一つのサービングセルがただ一つのＤＬ  ＣＣに対応したり、ＤＬ  ＣＣおよびＵＬ  ＣＣの両方に対応できるということである。
【００２９】
ＰＣｅｌｌは、端末が初期にサービングセルの中で接続（もしくはＲＲＣ接続）を確立する資源である。ＰＣｅｌｌは、複数のセルに対してシグナリングのために接続（もしくはＲＲＣ接続）を提供し、端末に関連した接続情報である端末コンテキスト（UE context）を管理するための特別なＣＣである。その上、ＰＣｅｌｌ（ＰＣＣ）が端末との接続を確立して、このようにＲＲＣ接続モード（RRC connected mode）にある場合、ＰＣＣは、活性化状態で常に存在する。ＳＣｅｌｌ（ＳＣＣ）は、ＰＣｅｌｌ（ＰＣＣ）以外に、端末に割り当てられる資源である。ＳＣｅｌｌは、追加の資源割り当てなどのため、ＰＣＣに追加して拡張された搬送波（an extended carrier for additional resource assignment, etc., in addition to the PCC）であり、活性化状態と非活性化状態とに分けることができる。ＳＣｅｌｌは、初期において非活性化状態にある。ＳＣｅｌｌが非活性化された場合、ＳＣｅｌｌ上においてＳＲＳを転送しないこと、ＳＣｅｌｌのためにＣＱＩ／ＰＭＩ／ＲＩ／ＰＴＩを報告しないこと、ＳＣｅｌｌ上のＵＬ−ＳＣＨ上において転送しないこと、ＳＣｅｌｌ上においてＰＤＣＣＨをモニタリングしないこと、ＳＣｅｌｌのためにＰＤＣＣＨをモニタリングしないことを含む。端末は、このＴＴＩ内でＳＣｅｌｌを活性化もしくは非活性化する活性化／非活性化ＭＡＣ制御要素を受信する。
【００３０】
活性化指示子（activation indicator）を含むＭＡＣ制御要素は、８ビットの長さを有し、各サービングセルのための活性化のために使用される。ここで、ＰＣｅｌｌは、端末とｅＮＢとの間で活性化されていると暗黙的に見なされ、このようにＰＣｅｌｌは、活性化指示子に追加して含まれない。ＰＣｅｌｌのインデックスには、特定の値が常に与えられ、ここでは、インデックスに０が与えられると仮定する。それにより、ＳＣｅｌｌは、左側から第７番目のビット（7th bit）に対応するサービングセルインデックス１のために、１，２，３，．．．，７のインデックスを付ける。これらは、０、すなわちＰＣｅｌｌのインデックス以外の残りのインデックスである。ここで、サービングセルのインデックスは、各端末のために相対的に決定された論理インデックス、もしくは特定の周波数バンドのセルを指示するための物理インデックスでもよい。そして、キャリアアグリゲーションシステムは、交差しない（non-cross）搬送波スケジューリング（self-carrier scheduling）もしくは交差した（cross）搬送波スケジューリングをサポートする。
【００３１】
ＬＴＥシステムにおいて、ＦＤＤ  ＤＬ搬送波サブフレームもしくはＴＤＤ  ＤＬ搬送波サブフレームは、ＰＤＣＣＨ、ＰＨＩＣＨおよびＰＣＦＩＣＨなどの制御チャネルのいくつかのシンボルから始まり、ＰＤＳＣＨを転送するために残りのシンボルを使用する。制御チャネルのために使用される直交周波数分割多重（Orthogonal Frequency Division Multiplexing；ＯＦＤＭ）シンボルの数は、ＰＣＦＩＣＨにより動的（ダイナミック）に（dynamically）指示されるか、もしくは端末へのＲＲＣシグナリングにより半静的に（semi-statically）指示されることができる。すなわち、従前のパート（former part）のＯＦＤＭシンボル上のＣＲＳおよびＰＣＦＩＣＨｓ／ＰＤＣＣＨｓ／ＰＨＩＣＨｓなどの制御チャネルは、例えば、ＭＢＳＦＮなどの特定の目的のために設定されたＤＬサブフレーム以外の特定の新しい搬送波のためのすべてのＤＬサブフレームを介して転送される。（That is, CRS and control channels, such as PCFICHs/PDCCHs/PHICHs over some OFDM symbol(s) of the former part, are transmitted through all DL subframes for a specific new carrier other than a DL subframe configured for a special purpose e.g., an MBSFN.）これにより、既存の（existing）端末による接続と既存の端末に対するサービスを提供するためのバックワード互換性（backward compatibility）とは保障されることができる。追加として、次世代のＬＴＥシステムもしくは改良通信システムに対して、提案されたバックワード互換であるレガシ信号および／もしくはチャネルのすべてもしくは一部が、複数のセル間干渉問題の改善、搬送波拡張性の改良、および（例えば、８Ｔｘ  ＭＩＭＯなどの）高度な特徴の提供における自由度の増加などの理由から転送されない新しい形式の搬送波もしくはセルが導入されることができる。（In addition to, for the next LTE system or enhanced communication system, a new form of a carrier or cell may be introduced in which all or some of the proposed backward compatible legacy signals and/or channels are not transmitted for reasons of the improvement of an interference problem between a plurality of cells, the enhancement of carrier extensibility, and an increase in the degree of freedom in providing advanced features (e.g., 8Tx MIMO).）
【００３２】
本発明は、搬送波が、参照信号（Reference Signal；ＲＳ）もしくは制御チャネルを転送するために適したタイプを有した新しい搬送波形式によって、一つのセルとして定義されることを含む。ＤＬ資源は、密度（high density）の高い固定されたＣＲＳの転送を省略するか、もしくはかなり減少させる代わりに、端末固有の方法で（in a UE-specific way、すなわち、プレコーディングされて）転送されるＤＭ−ＲＳベースのＤＬデータ（DM-RS-based DL data）の受信と、相対的に密度の低い（low density）設定可能なＣＳＩ−ＲＳに基づくチャネル状態の測定と、を介してＤＬ受信のパフォーマンスを改善し参照信号のオーバーヘッドを最小にすることによって、効率的に使用することができる。上記密度の高い固定されたＣＲＳの転送とは、すなわち、基本的に新しいセルにおけるＣＲＳ転送に応じたＤＬデータの受信およびチャネル状態の測定のことをいう。（The DL resources can be efficiently used by improving the performance of DL reception and minimizing RS overhead through the reception of DM-RS-based DL data transmitted in a UE-specific way (i.e., precoded) and the measurement of a channel status based on a configurable CSI-RS having relatively low density, instead of omitting or significantly reducing fixed CRS transmission having high density i.e., the reception of DL data and the measurement of a channel status dependent on the CRS transmission basically in a new cell.）したがって、新しいセルを使用してＤＬデータスケジューリングを行う方法は、レガシ参照信号を管理することによって考慮されることができ、すなわち、新しい搬送波が割り当てられた端末のＤＬ転送モード（Transmission Mode；ＴＭ）として、特に、上記で定義されたＤＬ転送モードのうち、（例えば、ＴＭモード８もしくは９などの）ＤＭ−ＲＳに基づいた転送モードだけで構成することができる。また、同期／トラッキング（synchronization／tracking）および測定の多様なタイプは、効率のために新しい搬送波上において行われる必要がある。これは、ＰＣｅｌｌがｅＮＢと端末との間で送受信する制御信号および参照信号で完全に飽和されたから、効率的なｃｅｌｌ  ｐｌａｎｎｉｎｇのための新しい搬送波が必要であるということである。また、ＰＣｅｌｌは、キャリアアグリゲーションのため一つ多いＳＣｅｌｌを有する端末を制御するために、より多くの資源を必要とする。
【００３３】
その上、本発明は、ｅＰＤＣＣＨ（enhanced PDCCH）が、ＰＤＣＣＨ転送、もしくは新しいタイプの搬送波を含む次世代通信システムの新しい制御情報転送のための制限の解決策中の一つになりうることを提供する。ＰＤＳＣＨと多重化されたｅＰＤＣＣＨは、キャリアアグリゲーションの複数のＳＣｅｌｌをサポートするために、図３に示したように使用されることができる。
【００３４】
図３に示すように、ｅＰＤＣＣＨは、制御情報を伝達するデータ領域に位置できる。したがって、端末は、制御領域および／もしくはデータ領域内で複数のＰＤＣＣＨ／ｅＰＤＣＣＨをモニタリングできる。ＰＤＣＣＨがＣＣＥ上において転送されるとき、ｅＰＤＣＣＨは、いくつかの連続するＣＣＥのアグリゲーション（集約）（集成）（aggregation）などのｅＣＣＥ（enhanced CCE）上において転送されることができ、上記ｅＣＣＥは、複数のＲＥＧに対応する。ｅＰＤＣＣＨがＰＤＣＣＨより効率的である場合、ＰＤＣＣＨを用いずにｅＰＤＣＣＨのみが使用されるサブフレームを有することに価値がある。ＰＤＣＣＨおよび新しいｅＰＤＣＣＨだけのサブフレーム、もしくはｅＰＤＣＣＨだけを有するサブフレームは、両方のレガシＬＴＥサブフレームを有するＮＣ（New Carrier）のような新しいタイプの搬送波中にありうる（The PDCCHs and new ePDCCH only subframes, or have only ePDCCH only subframes can be in a new type of carrier as NC which has both legacy LTE subframes.）。ＭＢＳＦＮサブフレームがＮＣ（New Carrier）において存在するということが依然として仮定される。ＮＣのＭＢＳＦＮサブフレームにおけるＰＤＣＣＨを使用するか否かと、仮に使用される場合、ＯＦＤＭシンボルがいくつ割り当てられるかと、はＲＲＣシグナリングを介して設定されることができる。その上、ＴＭ１０および新しいＴＭは、新しい搬送波のタイプのためにも考慮されることができる。以後では、新しい搬送波のタイプは、すべてのもしくは一部のレガシ信号が省略されるか、または他の方法により転送される搬送波を示す。例えば、新しい搬送波は、ＣＲＳがあるサブフレームでは省略されるかＰＢＣＨが転送されない搬送波を示すことができる。新しい搬送波は、Ｒｅｌ−１１およびそれ以下の端末が搬送波にアクセスできないことを意味しない。しかしながら、Ｒｅｌ−１１およびそれ以下の端末は、連続ＣＲＳ転送などのいくつかの特徴が不足するため、レガシ搬送波と比較して同じパフォーマンスを達成しないことが予想される。
【００３５】
端末は、第一に、ＤＣＩで５ビット変調およびコーディング方式／リダンダンシ（冗長性）バージョンフィールド（redundancy version field）を読み取ることによって、ＰＤＳＣＨにおける変調順序（modulation order）および転送ブロックサイズを決定する。しかしながら、新しい搬送波は、レガシＰＤＣＣＨを伝達できず、したがって、ｅＰＤＣＣＨおよびＰＤＳＣＨは、各サブフレームにおいて第１番目のＯＦＤＭシンボルから始めることができる。新しい搬送波に対して、二通りの手法が必要とされることができる。一つの手法は、転送からＣＲＳおよびＰＤＣＣＨを完全に除去することであり、したがって、すべてのサブフレームは、ＤＭ−ＲＳおよびｅＰＤＣＣＨに基づいて動作される。他の一つの手法は、サブフレームのサブセットがＣＲＳおよびＰＤＣＣＨを伝達できるか、または、ディスカバリ信号およびＰＤＣＣＨを伝達できるように、ＣＲＳおよびＰＤＣＣＨ転送を時々許可する（allow）ことである。ＣＲＳおよびＰＤＣＣＨが転送されない場合、ｅＰＤＣＣＨおよびＰＤＳＣＨが第１番目のシンボルから始めることができると仮定する。したがって、開始（始めの）（starting）ＯＦＤＭシンボルは、制限された測定セット０がＣＲＳを伝達すると仮定され、制限された測定セット１がＣＲＳ／ＰＤＣＣＨを伝達しないと仮定される場合の制限された測定セットなどの他の信号や設定に基づいて、サブフレームごとにもしくは半静的に変化し、または暗黙的に決定され、したがって、ｅＰＤＣＣＨ／ＰＤＳＣＨは、第１番目のＯＦＤＭシンボルから始まる。（Thus, the starting OFDM symbol may change subframe-by-subframe or changed semi-statically or decided implicitly based on some other signals or configurations such as restricted measurement set where restricted measurement set 0 would be assumed as carrying CRS and restricted measurement set 1 would be assumed as not carrying CRS/PDCCH and thus ePDCCH/PDSCH may start at the first OFDM symbol.）
【００３６】
その上、密集したホットスポット小規模セルの配置に対する効率的な動作のために、動的にもしくは半静的によりは、ターニングオン／オフ（turning on/off）がさらに考慮されることができる。現在存在するプライマリ同期信号（Primary Synchronization Signal；ＰＳＳ）／セカンダリ同期信号（Secondary Synchronization Signal；ＳＳＳ）／セル固有参照信号（Cell-specific Reference Signal；ＣＲＳ）もしくはＣＳＩ−ＲＳと異なる周期性および／もしくは資源を有する、セル識別および／もしくは測定のために使用されるディスカバリ信号が転送されうると仮定する。本発明の提案は、セルのオン／オフ（on/off）が行われ、ディスカバリ信号が転送される場合に適用されることができる。ＴＲＳ／ＣＲＳが適用される発明は、一般性を失わないでディスカバリ信号が適用されうると仮定することができる。ＴＲＳ（Tracking RS）は、時間／周波数トラッキングのために使用される参照信号を示す。
【００３７】
述べたように、新しい搬送波において、特別なサブフレームは、レガシＰＤＣＣＨを持たないで第１番目のＯＦＤＭシンボルでＰＤＳＣＨを始める。特別なサブフレームにおいてＰＤＳＣＨで使用されるＯＦＤＭシンボルの個数は、通常のＣＰにおいて７−１０個であったのが８−１１個に増加される。ＯＦＤＭシンボルの個数が、通常の搬送波において、通常のサブフレームにおけるＴＢＳ計算（calculation）の基準である１１と同一であるか、もしくはより大きい場合、スケーリング因子（scaling factor）は、１に増加される。その上、本発明は、ＣＳＩ−ＲＳ ＲＥのために、ＯＦＤＭシンボル０、１を使用することを提案する。ＣＳＩ−ＲＳは、無線リソース管理（Radio Resource Management；ＲＲＭ）、精密な（fine）時間／周波数トラッキングおよび／もしくは干渉測定のために使用されることができる。小規模セル環境において、小規模セルは密集するように配置されており、現スペック（LTE Rel-10/11 specification）において、ＣＳＩ−ＲＳは、直交資源を使用することを望む多数の隣接する小規模セルがあるので、これらの機能を行うのに十分でないことができる。
【００３８】
次世代のＬＴＥシステムもしくは改良通信システムのために、本発明は、すべてもしくは一部の提案されたバックワード互換レガシ信号および／もしくはチャネルが、複数のセル間の干渉問題の改善、搬送波拡張性の向上、および提供する次世代の（高度な）特徴における自由度の増加などの理由から転送されない新しい搬送波セルの導入を提供する。提案された本発明は、例えば、主に新しい搬送波セルについて述べられたとしても、新しい搬送波セルだけに制限されない。一般性を失わないで、レガシ搬送波にも適用されることができる。より具体的には、本発明は、トラッキングおよびＲＲＭ測定のために使用されるセル固有参照信号（cell-specific RS）が全く転送されないか、もしくは他のレガシ搬送波からサブフレームのサブセット（subset）だけが転送される場合を考慮する。便宜上、本発明は、ＣＲＳもしくはトラッキング参照信号が５ｍｓｅｃ（例えば、各無線フレームにおいてサブフレーム＃０および＃５）ごとに転送される一例を示す。より具体的には、新しい搬送波は、ｅＮＢが、活性化された（アクティブ）（active）端末が付着（付属）し（attach）ないときもしくはパターンに基づいて、転送をターンオフする場合のセルのオン／オフ（on/off）を行う搬送波を表すことができる。このように仮定する場合、本発明は、ＰＳＳ／ＳＳＳ／ＣＲＳもしくはＣＳＩ−ＲＳに基づくディスカバリ信号が、予め指定された値によってＴｍｓｅｃごとに転送される一例を示す（例えば、Ｔ＝２００）。
【００３９】
本発明が適用されるＬＴＥシステムのために、三通りの制限された測定パターンが次のように使用されることができる。パターン１は、ＰＣｅｌｌだけを適用するサービングセル上において無線リンクモニタリング（radio link monitoring；ＲＬＭ）およびＲＲＭの制限された測定を行うためのもので、パターン２は、物理セルＩＤ（Physical Cell ID；ＰＣＩ）により指示される特定の周波数内（intra-frequency）隣接セル上においてＲＲＭの制限された測定のためのものであり、パターン３は、制限されたチャネル状態情報（Channel State Information；ＣＳＩ）を測定するためのものである。
【００４０】
本発明は、レガシ搬送波ＰＣｅｌｌと関連したＳＣｅｌｌとして、または、ＣＲＳもしくはトラッキング参照信号が各無線フレームにおいてサブフレームのサブセットで転送されるかまたはディスカバリ信号が周期的にサブフレームのサブセットで転送されると仮定する独立した（スタンドアロン）動作（stand-alone operation）のＰＣｅｌｌとして、新しい搬送波が使用されるＲＲＭの場合を考慮する。（This invention considers RRM cases where a new carrier is used either as a SCell associated with a legacy carrier PCell or a PCell as a stand-alone operation with an assumption that CRS or tracking RS would be transmitted a subset of subframes in each radio frame or a discovery signal is transmitted in a subset of subframes periodically.）
【００４１】
ディスカバリ信号が４０ｍｓｅｃもしくは２００ｍｓｅｃにおけるＭｅａｓＳｕｂｆｒａｍｅＰａｔｔｅｒｎなどの最大のデュレーション（期間）（duration）より少ない頻度で転送される場合、新しい測定サブフレームパターンは必要でありうる。無線フレームのための開始（スターティング）オフセット（starting offset）およびサブフレームインデックスのための開始オフセットとも共に、無線フレームのビットマップを設定することが好ましい。例えば、４０ビットのビットマップは、４００ｍｓｅｃを表し、開始ＳＦＮ（starting SFN）およびサブフレームオフセットは、ディスカバリ信号が転送されるときにもまた設定されることができる。
【００４２】
ここで、ＲＲＭ測定は、主にハンドオーバ手順ならびに／またはサービングセルおよび隣接セルの品質の測定のためのものである。レガシ搬送波で制限された測定を有することの主要な動機は、サービングセル上におけるＲＲＭ測定が、ＡＢＳ（Almost Blank Subframe）が干渉（interferer）のために設定されているときのみ発生する（起きる）（occurred）ようにＡＢＳ技術が適用される場合に、正確であるかもしくはより良い測定結果をサポートすることである。
【００４３】
本発明は、新しい搬送波タイプもしくはセルのオン／オフ（on/off）機能または他の理由から、制限された測定セットにおいて設定されたサブフレームがＣＲＳを伝達しない場合を考慮し、本発明は、こういう場合にＲＲＭおよび／もしくはＲＬＭをどのように行うべきか、処理する技術を提案する。
【００４４】
本発明は、新しい搬送波タイプを主にターゲット（対象）としているが、レガシ搬送波および／もしくは適用可能ないかなる無線技術にも適用されることができる。新しい搬送波タイプは、レガシ制御および／もしくはシグナルの不足から、Ｒｅｌ−１１もしくはそれ以下のＬＴＥ端末をサポートしない搬送波として定義されることができる。例えば、レガシ端末は、新しい搬送波がオーバーヘッドの減少もしくはセルオフ機能のためセル共通参照信号（cell-common RS）を転送しないすべてのサブフレームにおいて、セル共通参照信号（cell-common RS）を受信することを予想する。ＣＳＩ−ＲＳなどの測定のために使用される新しい参照信号を導入することは実現可能である。本発明は、端末測定のために使用される任意の参照信号を表すことができるＭＲＳ（Measurement RS）として参照信号を示す。ＭＲＳもしくはディスカバリ信号がセルのオン／オフ（on/off）と共に導入される場合、ＭＲＳもしくはディスカバリ信号の位置を特定するために端末を支援するいくつかのネットワーク支援を考慮することができる。
【００４５】
ネットワーク支援が必要な理由の一つは、セル実行オン／オフ（on/off）がレガシ端末のさらによい実行のためにレガシ端末により検出されてはならないディスカバリ信号を転送するためである。このように、セルを検出するために追加／別個のディスカバリ信号に関する情報は必要でありうる。ネットワーク支援のさらに他の理由は、端末が短い時間フレーム内で多くのセルを検出できるようにして、エネルギを低減し、中断時間（interruption time）を減らすことができるセル検出および測定の効率を向上させることである。ネットワーク支援の一例は、端末が次の表１の設定のように測定を行うようになっているＭｅａｓＯｂｊｅｃｔＥＵＴＲＡ（測定対象）に基づいて考慮されることができる。
【００４６】
【表１】
0006047668.tif 000002
【００４７】
ここで、上記ＭｅａｓｕｒｅｍｅｎｔＴｙｐｅは、｛ｌｅｇａｃｙ  ｍｅａｓｕｒｅｍｅｎｔ，ａｄｖａｎｃｅｄ  ｍｅａｓｕｒｅｍｅｎｔ｝であるとき、ＢＯＯＬＥＡＮとして設定されることができる。上記ＭｅａｓｕｒｅｍｅｎｔＴｙｐｅは、端末の動作を、レガシ測定と、ディスカバリ信号もしくはＭＲＳを使用するなどの改良測定と、に区別する。
【００４８】
まず、同じＰＳＳ／ＳＳＳ／ＣＲＳがディスカバリ信号のために使用されず、したがって、ＭＲＳがＣＲＳであると常に仮定されない場合、どの参照信号が測定に使用されるかはシグナリングされなければならない。または、測定タイプ（Ｒｅｌ−１２次世代測定もしくはＲＥＬ−１１レガシ測定）を、ＭＲＳタイプの代わりに指示できる。ある隣接セルは、Ｒｅｌ−１２次世代測定をサポートし、ある隣接セルは、レガシメカニズムだけをサポートするという、異なる隣接セルがある場合、ｍｅａｓｕｒｅｍｅｎｔＯｂｊｅｃｔの二つのセットは、一方はレガシメカニズムのため、他方は同じ周波数のためのＲｅｌ−１２次世代測定のためとして設定されることができる。二つのセットが設定される場合、報告も別個に達成されることができる。または、集約された測定報告は、測定タイプが、隣接セルの搬送波タイプもしくは機能（例えば、次世代ディスカバリメカニズムがサポートされるか否か、またはセルのオン／オフが行われるか否か）に応じて、隣接セルごとに決定もしくは選択される場合に実現可能である。
【００４９】
ディスカバリもしくはＭＲＳが転送される場合、ＭＲＳの帯域幅は設定されることができる。このように、帯域幅もしくはＭＲＳに関するネットワーク指示（network indication on the bandwidth or MRS）は必要である。一例として、ＭＲＳ転送の帯域幅を指示するために、“ａｌｌｏｗｅｄＭｅａｓＢａｎｄｗｉｄｔｈ”を使用する。ＭＲＳの実際の転送帯域幅は、ａｌｌｏｗｅｄＭｅａｓＢａｎｄｗｉｄｔｈより大きくなりうる。しかしながら、端末は、ａｌｌｏｗｅｄＭｅａｓＢａｎｄｗｉｄｔｈごとにＭＲＳ上において測定を行う。
【００５０】
代替として、各測定ターゲットセルのための別個の設定もまた実現可能である。別個の設定が行われる場合、次の表２からのすべてもしくは一部のセットを含むことができる。
【００５１】
【表２】
0006047668.tif 000003
【００５２】
述べられたように、図４は、本発明の好ましい実施の形態として測定タイプに応じた管理を行うためのフローチャートを示す。
【００５３】
図４に示すように、端末は、制限された測定を指示し、上記測定タイプに応じて上記制限された測定のために設定されたサブフレームにおいて測定信号を測定する測定タイプを決定することによって管理を行う。測定において、端末は、制約的な測定のための次世代測定対象およびレガシ測定対象をセットとして含む測定設定（a measurement configuration including an advanced measurement object for the restricted measurement and a legacy measurement object as a set）を受信するか、もしくは別個に測定のための各設定を受信する（４００）。
【００５４】
このように端末は、測定信号タイプ、測定信号転送周期および／もしくはオフセット、ターゲットセルのセルＩＤ、ＭＲＳにおけるサブフレームの数（a number of subframes）、帯域幅、周波数、および測定信号の転送のためのＰＲＢのうち、少なくとも一つを確認することができる（４１０）。ここで、上記測定信号は、ディスカバリもしくはＭＲＳを含む。上記測定タイプは、セルがオン状態（on state)であるかもしくはオフ状態（off state)であるかに応じてセルにより設定されることができ、セル機能は、新しいものであるかレガシである（４２０）。上記ＭＲＳもしくはディスカバリ信号は、測定ターゲット（対象）セルに応じて予め指定された帯域幅で受信される。したがって、端末は、測定設定によるターゲットセルのオン／オフ（on/off）を考慮（consideration）して、ターゲットセルに応じて次世代測定を設定し（４３０）、ＲＲＭおよび／もしくはＲＬＭの測定（値）（measurement）を測定する（４４０）。
【００５５】
言い換えれば、本発明は、セル固有参照信号（Cell specific RS）がサブフレームごとに転送される新しい搬送波タイプの測定および報告に関連したＲＲＭ（Radio Resource Management）を行うメカニズムを提供する。このために、新しい搬送波を有するＳＣｅｌｌもしくはオン／オフ（on/off）を有するセルにおけるＲＲＭ測定（RRM measurement at SCell with new carrier or a cell with on/off）について述べられる。本発明の端末は、（１）ＳＣｅｌｌの設定、（２）ＲＲＭ測定、（３）ＳＣｅｌｌの活性化を行って、ＳＣｅｌｌに付着する（付属する）手順（a procedure to attach a SCell）をサポートする。新しい搬送波がすべてのサブフレームにおいてＣＲＳもしくはＴＲＳ（Tracking RS）もしくはＭＲＳを伝達しないから、ＲＲＭ測定は、ＴＲＳ、ＣＲＳもしくはＭＲＳを伝達するサブフレームのためだけに発生するはずである。潜在的に次のメカニズムは、本発明をサポートすることが実現可能である。
【００５６】
ＳＣｅｌｌの設定において、搬送波タイプと、必要なＣＲＳ／ＴＲＳ／ＭＲＳの転送周期およびオフセット（周期およびオフセットが変わる場合）ならびに／またはＣＲＳ／ＴＲＳ／ＭＲＳの転送帯域幅（全帯域幅でない場合）と、を指示することが必要である。これらを適用した場合、端末は、ＲＲＭ測定設定に関係なく、設定されたＳＣｅｌｌ上におけるＲＲＭ測定が、ＣＲＳ／ＴＲＳ／ＭＲＳを伝達するサブフレームおよびサブキャリアにおいて発生すると仮定する。代替として、端末は、設定されないかもしくは指示されない場合、ＭＲＳが制限された測定セットのために設定されたサブフレームにおいて転送されると仮定することができる。しかしながら、これは、ＳＣｅｌｌでも制限された測定セットのサポートを要求する。
【００５７】
設定されたＳＣｅｌｌ上におけるＲＲＭ（およびＲＬＭ）の追加の制限された測定は、端末が設定された制限されたサブフレーム上においてのみＲＲＭ（およびＲＬＭ）を行うように設定される。この場合、ＳＣｅｌｌごとに一つのセットが設定されるか、もしくはＳｅＮＢ（二重接続（dual connectivity）においてｅＮＢをサポートする）に属するすべてのＳＣｅｌｌのために一つのセットが設定されることができる。または、一つのセットが、ＳｅＮＢのＰＣｅｌｌに類似するセル（SeNB PCell-like cell）のために設定され、各ＳＣｅｌｌのためにさらに他のセットが設定されることができる。この場合、ＰＣｅｌｌに類似するセルのためのセットは、ディスカバリ信号ベースの測定（discovery signal based measurement）のために使用されるはずで、これに対し他のセットは、ＣＲＳベースの測定（CRS-based measurement）のために使用されることができる。
【００５８】
ＲＲＭ測定が設定されたＳＣｅｌｌのために設定されたＣＳＩ−ＲＳだけをベースとして発生するように、ＣＳＩ−ＲＳに基づいたＲＲＭを許可する。例えば、高速時間スケールセルのオン／オフ（fast-time scale on/off）をサポートするために、ＣＳＩ−ＲＳをベースとするように定義される場合、これがまたディスカバリ信号を適用する（this also applies to discovery signals）ということに注目すべきである。言い換えれば、制限された測定とは関係なく、ディスカバリ信号が導入される場合、測定は、ディスカバリ信号上において行われることができる。
【００５９】
追加として、ＳＣｅｌｌが設定されると、ｅＮＢは、ＣＲＳ／ＴＲＳ、ＣＳＩ−ＲＳもしくはＭＲＳのために使用される他の参照信号により、ＲＲＭ測定のために使用される参照信号を指示する。ｅＮＢがＣＲＳ／ＴＲＳを使用するよう設定する場合、端末は、設定もしくは新しい搬送波タイプのスペック（specification）に基づいてＣＲＳ／ＴＲＳを伝達するサブフレーム／サブキャリアを使用するはずである。ｅＮＢがＣＳＩ−ＲＳを使用するよう設定する場合、端末は、ＲＲＭ測定／報告のために設定されたＣＳＩ−ＲＳ資源を使用するはずである。ｅＮＢがＭＲＳを使用するよう設定する場合、端末は、ＲＲＭ測定のために設定されたＭＲＳを使用する。ｅＮＢ設定でなく、ＭＲＳがＣＲＳと異なる場合、端末は、ＣＲＳおよびＭＲＳの両方に基づいて、ＲＲＭ測定を行うことができる。端末は、端末が測定に成功することができるという単純な結果を報告できる。例えば、端末がＣＲＳに基づいた測定を行うことができる場合、ＣＲＳに関する測定報告（measurement report on CRS）が報告される。端末がＭＲＳに基づいた測定を行うことができる場合、ＭＲＳに関する測定報告が報告される。設定される場合、端末は、測定報告の両方に対しても報告できる。ｅＮＢの支援がない場合、端末は盲目的に（blindly）ＭＲＳおよび／もしくはＣＲＳを検索しようと試みると仮定することができる。
【００６０】
または、ＰＳＳ／ＳＳＳもしくは固定されたサブセットを伝達するサブフレーム上における固定されたＲＲＭ測定を使用することができる。例えば、ＰＳＳ／ＳＳＳが５ｍｓｅｃごとに伝達される場合、追加の設定のないＲＲＭ測定は、ＰＳＳ／ＳＳＳ（中央６個の資源ブロックにありうる）を伝達するサブフレームにおいて行われることができる。または、さらに他の一例は、中央の６個の資源ブロック、中央の２５個の資源ブロック、もしくはシステム帯域幅全体にわたって、すべての無線フレームのサブフレーム＃０／＃５上において測定を行うことである。これは、測定信号上においてネットワーク支援が提供されず、端末が以前のＭＲＳの設定を知っている場合に有用である。例えば、ディスカバリ信号が２００ｍｓｅｃごとに転送される場合、端末は、デフォルト（初期）（default）設定／仮定によって２００ｍｓｅｃごとに中央の６個の資源ブロックにおいてディスカバリ信号を検索する。
【００６１】
その上、隣接する新しいタイプの（Neighbor New Type；ＮＣＴ）搬送波（もしくは新しい搬送波タイプを有する新しいセル）上において周波数内のＲＲＭ測定（intra-frequency RRM measurement）をサポートするために、ＮＣＴ搬送波のＰＣＩがサービングセルに知られた場合、制限されたＲＲＭ測定は実現可能である。または、サービングセルがバンド内において一つもしくは複数のＮＣＴ搬送波を有すると予想する場合、バンド内のＲＲＭ測定（intra-band RRM-measurement）のためのＮＣＴ  ＲＲＭをトリガできる。ＮＣＴ  ＲＲＭがトリガされる場合、端末は、ＰＳＳ／ＳＳＳおよび／もしくはＣＲＳ／ＴＲＳを伝達するサブフレーム／サブキャリア上においてＲＲＭ測定を行うと予想される。端末は、端末がＰＳＳ／ＳＳＳおよび／もしくはＣＲＳ／ＴＲＳのデコードに成功することができない資源ブロックを無視する。または、ＮＣＴ  ＲＲＭがトリガされる場合、端末は、ただサブフレーム＃０／＃５もしくは各搬送波のためのＲＲＭ測定のためのＣＲＳ／ＴＲＳ／ＭＲＳを伝達する予め指定されたサブフレームをモニタリングすると予想される。ディスカバリもしくはＭＲＳが周期的に転送される場合、ＲＲＭがトリガされると、端末は、ディスカバリもしくはＭＲＳが転送されるサブフレームをモニタリングすると予想される。代替として、ＲＲＭ要求は、新しい搬送波タイプが、端末がＣＲＳ／ＴＲＳ／ＭＲＳを伝達するサブフレーム／資源ブロック上においてＲＲＭを行うことを示唆するセルタイプ（レガシ搬送波もしくは新しい搬送波タイプ）を伝達できる。
【００６２】
これに対し、周波数間ＲＲＭ測定（inter-frequency RRM measurement）が適用される場合、制限されたＲＲＭ測定設定は、周波数間ＲＲＭ測定のためにサポートされない。すなわち、ＮＣＴ搬送波上において周波数間ＲＲＭ測定が次の手法により達成されることができる。
【００６３】
（１）周波数間ＲＲＭのためのＮＣＴ  ＲＲＭトリガ：トリガされると、端末は、周波数間ＲＲＭが周波数間ＲＲＭ測定のためのサブフレームもしくはＣＲＳ／ＴＲＳ／ＭＲＳを伝達するサブフレームの予め指定されたサブセットだけに制限されると仮定する。
【００６４】
（２）端末は、端末がＣＲＳ／ＴＲＳ／ＭＲＳをデコードしないサブフレームを無視する。
【００６５】
（３）端末は、ＰＳＳ／ＳＳＳおよびＴＲＳ／ＣＲＳが同じサブフレームに存在すると仮定して、ＰＳＳ／ＳＳＳを伝達するサブフレーム上においてＲＲＭを受け取る。ＴＤＤでは、端末は、ＳＳＳおよびＴＲＳ／ＣＲＳが同じサブフレームに存在すると仮定して、ＳＳＳを伝達するＲＲＭを受け取る。
【００６６】
隣接セルのＲＲＭ測定に対して、セルタイプは、ＰＳＳ／ＳＳＳ、ＭＩＢ、ＳＩＢ、サブフレームごとのＣＲＳ／ＴＲＳ／ＭＲＳの存在、ＰＢＣＨデコードにおけるＤＭ−ＲＳの存在、もしくはＰＢＣＨの位置などにより識別されることができる。端末がセルタイプを識別すると、ＲＲＭ測定もしくはＲＲＭ  ＲＳ（ＣＳＩ−ＲＳもしくはＣＲＳ／ＴＲＳ）のためのＴＲＳ／ＣＲＳ／ＭＲＳの位置を推定するために使用されることができる。
【００６７】
制限されたＲＲＭ測定が設定され、端末は、制限された測定サブフレーム上においていかなるＣＲＳ／ＴＲＳ／ＭＲＳも検出できない場合、ＲＲＭ測定のためのサブフレームを無視できる。または、ｅＮＢは、ＲＲＭ測定のためのサブフレームにおいてＲＲＭのために使用される参照信号に応じて、ＣＲＳ／ＴＲＳ／ＭＲＳおよび／もしくはＣＳＩ−ＲＳを転送する。広帯域（wide-band）参照信号受信品質（Reference Signal Received Quality；ＲＳＲＱ）が不可能である場合、追加のＣＲＳ／ＴＲＳおよび／もしくはＣＳＩ−ＲＳは、中央の６個の資源ブロックもしくはＡｌｌｏｗｅｄＭｅａｓＢａｎｄｗｉｄｔｈとしての測定帯域幅に制限されるはずである。
【００６８】
これに対し、ＮＣＴ上においてＲＲＭをサポートする最も単純な方法は、端末は、端末がＲＲＭ測定のためのＣＲＳ／ＴＲＳ／ＭＲＳの検出に成功しないサブフレームを無視するという端末推定を追加することである。または、端末は、制限された測定のために設定されたサブフレームを除いてＣＲＳ／ＴＲＳ／ＭＲＳを受信するように仮定しない。さらに他の手法は、端末が、ＰＳＳおよび／もしくはＳＳＳとＴＲＳ／ＣＲＳとが同一サブフレームに存在すると仮定して、ＰＳＳおよび／もしくはＳＳＳを伝達するサブフレーム上においてＲＲＭ測定を受けるという仮定を追加することである。（Another approach is to add assumption that UE shall take RRM measurement on subframes carrying PSS and/or SSS assuming PSS and/or SSS and TRS/CRS are present in the same subframe.）このような仮定は、ＮＣＴ  ＲＲＭがトリガされるときだけ適用可能である。さらに他の手法は、端末がディスカバリ信号を伝達するサブフレーム上においてＲＲＭ測定を受け取るとの仮定を追加することである。さらに他のオプションは、制限された測定セットを設定することによって、ＮＣＴ搬送波上において周波数内のＲＲＭ測定（intra-frequency RRM measurement）だけを許可することである。周波数内のＲＲＭ測定に対して、端末がＰＣＩに基づいてフィルタリングされｅＮＢのために使用されないサンプルをランダムに受け取るから、ＮＣＴ搬送波のためのＲＲＭ報告は正確ではありえない。この方法は、いかなる端末の仮定もしくは隣接セルのＲＲＭのための他の動作をも追加しない。ＳＣｅｌｌ  ＮＣＴに対して、依然として不連続（non-contiguous）ＣＲＳ／ＴＲＳ／ＭＲＳ転送を処理するために、ＲＲＭ測定上において追加のサポートを必要とする。
【００６９】
周期的なディスカバリ信号の転送が考慮される場合、ＣＲＳなどのレガシ測定信号のための二通りの可能性がある。一つの方法は、レガシ測定信号の転送を省略することで、残りの方法は、レガシ測定信号も転送することである。第２番目の手法が使用される場合、次世代端末は、レガシ測定信号だけでなくＭＲＳも読み取ることができる。この場合に、端末は、ＭＲＳの測定がより高い優先順位で測定報告のために使用されるように、ＭＲＳがレガシ測定信号よりさらに高い優先順位を有すると仮定することができる。このような優先順位は、レガシ測定信号がＲＲＣ＿ＩＤＬＥ状態におけるＭＲＳよりさらに高い優先順位をもつように、ＲＲＣ＿ＣＯＮＮＥＣＴＥＤモードである端末に制限されることができる。言い換えれば、ＭＲＳは、端末がセルに接続された場合、高い優先順位として使用されることができることに対し、端末は、ＲＲＣ＿ＩＤＬＥモードにおいてレガシ測定信号に基づいていかなる測定でも行わなければならない。または、測定のために使用された参照信号は、上位層として設定される。
【００７０】
ここで、本発明においてＴＲＳもしくはディスカバリ信号上の参照信号受信電力（Reference Signal Received Power：ＲＳＲＰ）の定義（a definition of RSRP over TRS or discovery signal）は、次の表３により定義されることができる。
【００７１】
【表３】
0006047668.tif 000004
【００７２】
そして、本発明において、ＴＲＳもしくはディスカバリ信号上の（over）ＲＳＲＱの定義は、次の表４により定義されることができる。
【００７３】
【表４】
0006047668.tif 000005
【００７４】
また、同じサブフレームおよび同じ資源ブロックからのＲＳＲＰおよびＲＳＳＩを使用してＲＳＲＱを計算することができる。受信信号強度指示子（Received Signal Strength Indicator；ＲＳＳＩ）は、受信された無線信号に存在する電力の測定である。ＴＲＳが周期的に転送されると、このような制限を緩和させる必要があるであろう。
【００７５】
（１）Ａｌｔ１：端末がサブフレームにおいてＲＳＲＱを測定することを試みている場合、ＮＣＴがサブフレームにおいてＣＲＳ／ＴＲＳを転送しないか、もしくはサブフレームにＴＲＳ／ＣＲＳ／ＭＲＳがないから、サブフレームにおいてＴＲＳ／ＣＲＳ／ＭＲＳを検出せず、端末は、ＲＳＲＰを測定しないことができ、しかしながら、依然としてＲＳＳＩを測定できる。この場合、端末は、ＴＲＳ／ＣＲＳ／ＭＲＳが転送されたＯＦＤＭシンボル（例えば、各スロットにおけるＯＦＤＭシンボル０、４）を使用するか、または、端末は、ＲＳＳＩを測定するためにすべてのＯＦＤＭシンボルを使用することができる。ＲＳＲＱは、（最も最近のＲＳＲＰからの）Ｎ＊ＲＳＲＰ／（今回のサブフレームにおいて測定された）ＲＳＳＩとして計算される。
【００７６】
（２）Ａｌｔ２：制限された測定は、ＲＳＳＩだけに適用する。言い換えれば、制限されたサブフレームにおいてＴＲＳ／ＣＲＳ／ＭＲＳがないとしても、端末は、依然として（各スロットにおいてＯＦＤＭシンボル０／４において、もしくはすべてのＯＦＤＭシンボルにわたって）ＲＳＳＩを測定する。ＲＳＲＰは、ＴＲＳ／ＣＲＳ／ＭＲＳサブフレームおよび制限されたＲＲＭサブフレームに属するサブフレームにおいてのみ測定されることができる。または、それとも、ＲＳＲＰは、ＴＲＳ／ＣＲＳ／ＭＲＳが伝達されるサブフレーム上において制限されたＲＲＭサブフレームに関係なく測定されることができる。ＲＳＲＱは、（最も最近のＲＳＲＰからの）Ｎ＊ＲＳＲＰ／（今回のサブフレームにおいて測定された）ＲＳＳＩとして計算される。
【００７７】
（３）Ａｌｔ３：制限されたＲＲＭ／ＲＬＭサブフレームがＲＳＲＰのためにだけ使用されるＲＳＳＩを測定するために使用される別個の制限されたＲＳＳＩ測定サブフレームを設定する。ＲＳＲＱは、制限されたＲＲＭ／ＲＬＭサブフレームにわたって測定される。ＲＳＲＱは、（今回のサブフレームにおいて測定された）Ｎ＊ＲＳＲＰ／最後のＲＳＲＱから今回のサブフレームまで測定されたＲＳＳＩの平均値として計算される。または、ＲＳＳＩおよびＲＳＲＰ制限されたサブフレームは、（ＲＳＲＰ制限に従う）ＲＳＲＱが（今回のサブフレームにおいて測定された）Ｎ＊ＲＳＲＰ／（最も最近のＲＳＲＰからの）ＲＳＳＩとして計算される場合、別個に設定されることができる。
【００７８】
代替として、ＲＳＲＰおよびＲＳＳＩは、別個に測定されて報告されることができる。ＲＳＲＰおよびＲＳＳＩのための測定帯域幅は、別個で、仮に必要な場合、追加として設定されることができる。
【００７９】
その上、複数の制限されたＲＲＭ測定セットは、複数の制限されたＲＳＲＰおよび／もしくはＲＳＳＩ測定セットがセットごとに測定が各々報告されるように、別個に設定されることができるとして設定されることができる。その上、端末は、ＲＳＲＰおよびＲＳＳＩが他のサブフレームもしくは他の資源ブロックにおいて測定されると仮定することができる。
【００８０】
ＡＢＳが適用される場合、ＮＣＴ上においてＲＲＭ測定は、図５のように行われることができる。図５は、本発明の好ましい実施の形態に係るＡＢＳおよびＴＲＳサブフレームを示す。
【００８１】
図５に示すように、ＡＢＳが設定される場合、ＲＲＭ（およびＲＬＭ）のための制限されたサブフレーム（もしくは複数の制限されたサブフレーム）は、より良い測定のために設定されるはずである。例えば、＃０／＃３／＃６／＃１１／＃１５は、端末が上記サブフレーム上においてＲＲＭを測定すると予想されるように、干渉（interferer）のＡＢＳとして設定される。ＴＲＳは、サブフレームのサブセットにおいて転送されるから、あるＡＢＳサブフレームは、ＲＳＲＰ測定のために使用できないＣＲＳ／ＴＲＳを伝達しないことができる。
【００８２】
上述したように、全部で三通りの手法は、この状況を処理するのに実現可能である。
【００８３】
（１）ｅＮＢは、ＣＲＳ／ＴＲＳ（もしくはＣＳＩ−ＲＳ）およびＡＢＳを伝達するサブフレームだけが制限された測定セットに含まれうることを確かめる。例えば、＃０／＃１５は、図５において制限された測定に属する。
【００８４】
（２）端末は、少なくともＣＲＳ／ＴＲＳ（もしくはＣＳＩ−ＲＳ）を伝達しないＲＳＲＰのためのサブフレームを無視する。ＣＲＳ／ＴＲＳ（もしくはＣＳＩ−ＲＳ）をデコードするか、もしくはセルタイプを識別することによって、端末は、少なくともＲＳＲＰのためのサブフレームを無視できる。
【００８５】
（３）ｅＮＢは、ＡＢＳおよび制限された測定セットのためのサブフレームにおいて追加のＴＲＳ／ＣＲＳもしくはＣＳＩ−ＲＳを転送する（eNB transmits additional TRS/CRS or CSI-RS in subframes for ABS and configured for the restricted measurement set.）。
【００８６】
（４）さらに他の手法は、ディスカバリ信号が転送される場合、別個の制限された測定セットを設定することである。例えば、第１番目のセットは、ＡＢＳ設定のためのＣＲＳ／ＴＲＳに基づく制限された測定のために使用されることができ、第２番目のセットは、ディスカバリもしくはＭＲＳに基づく測定のために使用されることができる。
【００８７】
本発明は、非周期的なＣＳＩもしくは周期的なＣＳＩ報告のための干渉測定（interference measurement）を示す。端末が、ｚｅｒｏ−ｐｏｗｅｒ  ＣＳＩ設定または一つもしくはＩＭＲ0からＩＭＲkまでインデックスが付けられたＣＳＩ−ＩＭを介して一つもしくは複数のＩＭＲ（Interference Measurement Resource）セットによって設定される場合、端末は、一つもしくは複数のＩＭＲを使用して、ＣＳＩ計算のために干渉測定を使用すると予想される。ＣＱＩ計算によれば、二通りの手法が実現可能である。
【００８８】
一つは、端末が各ＣＳＩプロセスが＜ｎｏｎ−ｚｅｒｏ−ｐｏｗｅｒ  ＣＳＩ−ＲＳ設定、ＩＭＲ＞を構成し、活性化（アクティブ）（active）測定のためにある程度のＣＳＩプロセスを活性化させる多数のＣＳＩプロセスを設定できる手法である。残りの一つは、端末がｎｏｎ−ｚｅｒｏ−ｐｏｗｅｒ  ＣＳＩ−ＲＳを設定し複数のＩＭＲを設定し、ＮＺＰ  ＣＳＩ−ＲＳとＩＭＲとの間の関係は、上位層シグナリング（higher layer signaling）もしくはＤＣＩ指示を介して動的に変化することができる手法である。端末が複数のＺＰ  ＣＳＩ−ＲＳもしくはＩＭＲによって設定される場合、端末は、一つもしくは複数の干渉測定（すなわち、一つもしくは複数のＺＰ  ＣＳＩ−ＲＳもしくはＩＭＲからの干渉）をＣＱＩを評価するために動的に選択することができるように、別個にＺＰ  ＣＳＩ−ＲＳ設定もしくはＩＭＲ設定のための干渉を測定すると予想される。
【００８９】
周期的ＣＳＩ報告のために、制限された測定セットが設定される場合、ＩＭＲは、制限された測定セットごとに定義されることができる。例えば、２個のセットがＣＳＩ０およびＣＳＩ１に設定される場合、同一であるか、もしくは異なるＩＭＲは、各ＣＳＩセットごとに設定されることができる。ただ一つの設定されたＩＭＲだけある場合、端末は、設定されない場合、同じ設定がすべてのＣＳＩセットに適用されると仮定するはずである。
【００９０】
非周期的ＣＳＩ報告のために、上位層シグナリング（higher layer signaling）は、非周期的ＣＳＩ報告のために使用されるＮＺＰ  ＣＳＩ−ＲＳのためのＩＭＲが関連付けられるように与えられることができ、ＤＣＩ（アップリンク）を介した動的な指示は使用されることができる。例えば、ＩＭＲの最大の個数（maximum number）が８で、各値がＣＳＩ計算のための干渉測定のために使用される設定されたＩＭＲのインデックスにマッピングされる３個のビットが、（端末の能力によるか、もしくは上位層により可能になるよう設定されることができる動的ＩＭＲマッピングが可能であれば）アップリンクグラントＤＣＩに追加されることができる。（For example, the maximum number of IMRs is 8, three bits can be added into uplink grant DCI (if dynamic IMR mapping is enabled which may be a UE capability and can be configured by higher layer to enable) where each value maps to the index of configured IMRs which are used for interference measurement for the CSI calculation.）追加されるビットの個数は、ＩＭＲの最大の個数（the maximum number of IMRs）もしくはＩＭＲの設定に基づいて決定されることができる。または、非周期的ＣＳＩ要求２ビットは、端末が３個のＩＭＲが設定されうると仮定して、ＣＳＩ要求フィールドが存在するときを表すために次のもしくは類似の表を使用するよう設定されうるように再使用できる。
【００９１】
次の表８のように、端末は、ＣＳＩ要求ビットフィールドが、２ビットで、転送モード９（もしくは新しい搬送波タイプにおいてＤＣＩフォーマット２Ｃを使用する転送モード）において有効な動的ＩＭＲマッピングによって一つのサービングセルのための非周期的ＣＳＩ報告をトリガする場合、トリガされることができる。（As following Table 8, the UE may be triggered when CSI request bit field is 2 bits and is triggering aperiodic CSI report for one serving cell with Dynamic IMR mapping is enabled in transmission mode 9 (or a TM using DCI format 2C in new carrier type).）
【００９２】
【表５】
0006047668.tif 000006
【００９３】
述べたように、図６および図７は、本発明の実施の形態に係るＲＲＭ／ＲＬＭ測定を決定するための好ましいフローチャートを示す。
【００９４】
セルのオン／オフ（on/off）が適用されるとき、端末測定の他の可能性がサポートされる。第一に、端末は、セルのオン／オフ指示子もしくはセルのオン／オフを指示するための別個の信号に基づいた測定設定を含む信号を受信することによって、制限された測定のためにセルがオン状態なのかオフ状態なのかを決定できる。ＳＣｅｌｌ活性化／非活性化もしくはＳＣｅｌｌ設定のための信号は、セルが活性化されると、端末がセルがオン状態であると仮定できるように、セルのオン／オフ指示のために使用されることができる。
【００９５】
図６を参照すると、セルのオン／オフが、端末がセルは常にオン状態であると仮定する場合において、端末に知られていないか、もしくは明らかにシグナリングされない場合である。端末は、ＳｅＮＢに属する一つもしくは複数のＳＣｅｌｌを設定している（６１０）。端末は、ＳＣｅｌｌ設定を受信することによって、ＳＣｅｌｌを追加／解除できる。その後に、端末は、同じＲＲＭ／ＲＬＭ測定が、対応するＳＣｅｌｌに応じた測定対象を確認することによって、上記一つもしくは複数のＳＣｅｌｌのために行われるか否かを決定できる。すなわち、端末が、オン／オフに関係なく同じＲＲＭ／ＲＬＭが行われることを決定する（６２０）。同じＲＲＭ／ＲＬＭ測定がすべてのセルで行われる場合、端末は、ＰＣｅｌｌに基づいて設定されたサブフレームにおいてサービングセル上でＲＬＭおよびＲＲＭの制限された測定を適用できる（６３０）。
【００９６】
別個のＲＲＭ／ＲＬＭ測定がセルの状態ごとに行われる場合、端末は、（一つもしくは複数の）測定ターゲットセルに応じて設定された一つもしくは複数のサブフレームにおいて、一つもしくは複数のＳＣｅｌｌから転送された少なくとも一つの測定信号を検出することによって測定を行う。ここで、測定の設定は、対応するＳＣｅｌｌに応じて予め指定された帯域幅を含む測定対象を含み、制限された測定設定は、測定周期およびオフセット、ならびに／またはセルＩＤおよびＳＦＮに基づいた位置を含む（６４０）。
【００９７】
図７を参照すると、セルのオン／オフが端末に知らされる場合である。端末は、ＳｅＮＢに属する一つもしくは複数のＳＣｅｌｌを設定しており、これらの一つもしくは複数のＳＣｅｌｌのためにセルのオン／オフ設定を受信する（７１０）。端末は、ＲＲＭ／ＲＬＭ測定がセルのオン／オフ設定に基づいて共通に行われるかもしくは異なって行われるか（whether RRM/RLM measurement is performed commonly or differently）を決定できる（７２０）。同じＲＲＭ／ＲＬＭ測定がすべてのセルで行われる場合、端末は、ＰＣｅｌｌに基づいて設定されたサブフレームにおいてサービングセル上でＲＬＭおよびＲＲＭの制限された測定を適用できる（７３０）。セルの状態に応じた別個のＲＲＭ／ＲＬＭの発明のうちの何れか一つは、各状態で使用可能な異なる測定信号を利用する。
【００９８】
例えば、ＣＲＳベースの測定信号（CRS based measurement signal）は、セルがオン状態であるときに測定のために使用されるのに対し、セルがオフ状態であるとき、ＣＳＩ−ＲＳベースのディスカバリ信号（CSI-RS based discovery signal）が測定のために使用される。ＣＲＳの密度がＣＳＩ−ＲＳのそれより高いから、オン状態における測定精度は、オフ状態における測定精度に比べて通常改善される。サービングセルの品質は、測定されることが重要であるから、特に無線リンクモニタリング手順のためにも、オン状態のより良い測定精度は好ましい。これをサポートするために、セルのオン／オフ状態の暗黙的／明示的指示は有益である。その上、ディスカバリ信号に基づく測定は、セルの関連付け（アソシエーション）（association）の前に、サービングセル品質が望ましい品質を超えることを確実にするために、候補サービングセルに対してオン状態で転送される（ＣＲＳなどの）ＭＲＳによりさらに精密にすることができる。
【００９９】
別個のＲＲＭ／ＲＬＭ測定が行われると、端末は、制限された測定セットを使用するＲＲＭ／ＲＬＭ測定が行われるか否かをさらに確認することができる（７４０）。
【０１００】
別個のＲＲＭ／ＲＬＭ測定がセルの状態ごとに行われる場合（７４５）、端末は、（一つもしくは複数の）測定ターゲットセルによって設定された一つもしくは複数のサブフレームにおいて一つもしくは複数のＳＣｅｌｌから転送された少なくとも一つの測定信号を検出することによって、測定を行う。ここで、測定設定は、対応するＳｃｅｌｌに応じて予め指定された帯域幅を含む測定対象を含み、制限された測定設定は、測定周期およびオフセット、ならびに／またはセルＩＤおよびＳＦＮに基づいた位置を含む。
【０１０１】
これに対し、別個のＲＲＭ／ＲＬＭ測定が制限された測定セットを使用して行われる場合（７４７）、端末は、制限された測定セットに応じて別個のＲＬＭを行うことができ、別個のタイマおよび指示が各々定義されることができ、これは、セルの状態のオンもしくはオフと関連付けることができる。制限された測定セットは、ＡＢＳのために設定され、制限された測定セットは、以下でより詳細に説明される。上記測定信号は、ディスカバリ信号（ＰＳＳ／ＳＳＳもしくはＴＲＳ）もしくは制限された測定のためのＭＲＳを含む。また、端末は、別個のタイマおよびオフセットを有する制限された測定セットごとに、別個のＲＬＭ測定を行う。例えば、制限された測定セットにおけるＳＣｅｌｌ上のＲＬＭは、ＲＬＦをトリガでき、ＲＬＦは、ＳＣｅｌｌの代りにＰＣｅｌｌとして、ＰＣｅｌｌに対して無視もしくは報告できる（the RLF may ignore or report to PCell instead of the SCell as PCell）。
【０１０２】
電力効率の良いセル検出／ディスカバリメカニズムをサポートするために、複数の（多重）（multiple）隣接セルからのディスカバリ信号の調整された（coordinated）転送は、セルが同期していると仮定しながら考慮されることができる。このように、ディスカバリ信号の転送を設定するためのセル間調整（coordination）は必要である。言い換えれば、隣接セル間ディスカバリ信号の多重化は、本発明に適用されることができる。調整メッセージは、ディスカバリ信号の資源設定およびディスカバリ信号の転送を含むことができる。
【０１０３】
第一に、ディスカバリ信号の資源設定は、干渉を回避し、多重化、ディスカバリ信号のための直交資源割り当てを最大にするのに必要である。このように、ディスカバリ信号の資源の選択および設定は、セル間で調整される必要がある。ディスカバリ信号の一例はＣＳＩ−ＲＳで、ディスカバリ信号の資源は、ＣＳＩ−ＲＳ設定に従うことができる。ＣＳＩ−ＲＳベースのディスカバリ信号の転送を仮定すると、ディスカバリ信号の資源設定は、資源要素（Resource Elements；ＲＥｓ）の転送およびミューティング（muting）の両方とも含まなければならない。ディスカバリ信号がデータ転送によって転送されることができるから、端末は、レートマッチングパターン（rate matching pattern）を知らなければならない。したがって、本発明は、隣接セルがディスカバリ信号をレガシ端末へ転送するのに使用されるＣＳＩ−ＲＳ資源のセットを含むＺＰ−ＣＳＩ−ＲＳ設定を含むシグナリングを提案する。
【０１０４】
例えば、３個の隣接セルがＣＳＩ参照設定０、１および２を各々使用する場合、３個のうちの何れか一つのセルにより提供を受ける（served）端末は、ＣＳＩ−ＲＳ設定１、２、３のために使用される資源がゼロ電力（zero-powered）になること示す｛１，１，１，０，，．．．｝のＺＰ−ＣＳＩ−ＲＳ設定によって設定されるはずである。次世代端末に対して、ＣＳＩ−ＲＳもしくはディスカバリ信号の設定のリストが、ディスカバリ信号が転送されると仮定するように与えられることができる。ディスカバリ信号の資源設定に関して、固定された設定は、セルごとに設定されることができるか、資源のセットは、複数のディスカバリ信号の転送を多重化するために、小規模セルクラスタ内で小規模セルにより使用されるディスカバリ信号転送のためにリザーブされる。
【０１０５】
そして、ディスカバリ信号の転送は、含まれることができる。資源のセットがディスカバリ信号の転送のためにリザーブされる場合、各セルからディスカバリ信号の位置は、時間の経過と共に変化できる。各セルのディスカバリ信号の位置は、セルＩＤおよびＳＦＮに基づいて決定されることができる。
【０１０６】
制限された測定セットが設定される場合、端末は、制限された測定がＰＣｅｌｌのために設定される場合、制限された測定セット上においてもＲＬＭを行うと予想される。本発明で提案したように、追加の制限された測定セットが設定される場合、ＰＣｅｌｌもしくはＳＣｅｌｌのためにＲＬＭ上において端末の動作を定義することが必須である。
【０１０７】
制限された測定セットごとに別個のＲＬＭが設定される場合、端末は、制限された測定セットごとに別個のＲＬＭを行うことができる。一旦ＲＬＦが発生すると、別個のタイマおよび指示／動作が各々定義されることができる。（Separate timer and indication/behavior once RLF occurs may be defined respectively.）例えば、ＳＣｅｌｌ制限された測定セット上におけるＲＬＭは、ＰＣｅｌｌが移動性（mobility）を担当するから、ＳＣｅｌｌに報告される代わりに、ＰＣｅｌｌに報告されるＲＬＦをトリガできる。
【０１０８】
さらに他の手法は、ＲＬＭを行うために、一つの制限された測定セットを選択するために端末を設定することである。ここで、ＲＬＭ測定のために使用される測定セットは設定される。その上、これは、セルの状態とも関連付けられることができる。例えば、セルがオフ状態であるとき、第２番目に制限された測定セットがＲＬＭのために使用されることに対し、第１番目に制限された測定セットは、セルがオン状態であるとき、ＲＬＭのために使用される。より具体的には、端末がＤＲＸ（Discontinuous Reception）にあると、第２番目に制限された測定セットは、ＲＬＭのために使用され、端末は、活性化状態（連続受信周期）であり、第１番目の測定セットが使用される。これは、端末がオンデュレーション（OnDuration）の間に自体のためにＰＤＣＣＨを検出すればトリガされることができる。または、端末は、ＤＲＸが設定されないとき、第１番目のセットを使用することができる。そして、ＤＲＸが設定されるとき、第２番目のセットを使用する。ＤＲＸ動作と関連して、端末は、セルがオフ状態であることを知っている場合、オンデュレーションでＰＤＣＣＨおよび／もしくはＣＲＳを受信することを予想しない。これに対して、別個のＤＴＸ設定は、ＤＴＸ設定がセルのオンおよびオフ状態のスケジュールを示す場合もまた実現可能である。これは、セル共通信号ということができる。端末がＤＲＸによって設定され、二つの測定セットによって設定される場合、端末は、ＤＲＸ状態と関連なく測定セットにより設定されたサブフレームにおいてＲＲＭおよび／もしくはＲＬＭを行うことができると仮定することができる。または、第１番目のセットは、端末がオン状態にある場合、使用が制限されることができる。このように、端末がＤＲＸによって設定されると、測定が第１番目の制限された測定セットで設定されたいかなるサブフレームでも行われることができると仮定してはならない。
【０１０９】
他のオプションは、端末が測定セットの設定に関係なくＰＤＣＣＨ（もしくはｅＰＤＣＣＨ）をモニタリングするとき、サブフレームでＲＬＭだけを使用することである。端末がｅＰＤＣＣＨのためにサブフレームセットをモニタリングするように設定される場合、端末は、このようなサブフレーム上においてＲＬＭを行うことができると仮定することができる。実際の設定は、ＳＣｅｌｌ活性化形式もしくはＤＲＸ設定もしくは測定セット設定になることができる。端末が（ｅ）ＰＤＣＣＨをモニタリングするごとに、ＲＬＭ機能も行うことができる。
【０１１０】
制限された測定セットがＳＣｅｌｌのために設定される場合、端末は、ＰＣｅｌｌ上におけるＲＬＭだけでなくＳＣｅｌｌに対しても別個のＲＬＭが行われ、この場合、ＲＬＭは、このような設定されたサブフレームの測定セットで特定されるＭＲＳタイプに基づいて（もしくは既設定に基づくか、もしくは規則により）行われると仮定することができる。（When a restricted measurement set is configured for a SCell, a UE may assume that separate RLM is performed for that SCell in addition to RLM on PCell where RLM is performed based on measurement RS type specified in the measurement set (or based on pre-configuration or by rule) in those configured subframes.）
【０１１１】
その上、二重接続が潜在的に含まれるようにセルのオン／オフによって設定される場合、以下は、ある端末の動作の予想である。端末がＳＣｅｌｌのためにさらに他の制限された測定セットで設定される場合、より具体的には、このようなＳＣｅｌｌがＰＣｅｌｌに類似するセルになることができ、端末は、ＰＵＣＣＨをＰＣｅｌｌに類似するセルに転送する（例えば、スーパサービングセル（Super serving cell；Ｓｕｐｅｒ  ＳＣｅｌｌ、ＳＳＣｅｌｌ）もしくはマスタサービングセル（Master serving cell；Ｍａｓｔｅｒ  ＳＣｅｌｌ）。このようなセットが設定されると、端末は、各々のために設定された制限された測定セットに従って、ＰＣｅｌｌおよび／もしくはＳｕｐｅｒ  ＳＣｅｌｌ上においてＲＲＭおよび／もしくはＲＬＭを行う（performs RRM and/or RLM on PCell and/or Super SCell）。ＲＬＦがＳＳＣｅｌｌもしくはＳｕｐｅｒ  ＳＣｅｌｌのために発生すると、ＰＣｅｌｌに再度報告されることができる。
【０１１２】
より具体的には、ＳＳＣｅｌｌのためのこのようなセットは、ディスカバリ信号転送のための設定を表すセットになることができる。端末が、あるセルのためにＲＲＭおよび／もしくはＲＬＭのためのさらに他の制限された測定セットによって設定されることができる場合、セットは、上位層シグナリングされることができるか、もしくはＤＲＸ設定もしくはセルの状態と関連付けられることができる。より具体的には、ＤＲＸが設定されない場合、ＰＣｅｌｌのために設定された制限された測定セット０は、ＳＣｅｌｌ  ＲＲＭ／ＲＬＭ測定のために使用されることができる。言い換えれば、同じ測定パターンは、ＤＲＸが設定されない場合、ＳＣｅｌｌにも適用されることができる。ＤＲＸが設定される場合、ＳＳＣｅｌｌのために設定された測定セットは、ＲＲＭ／ＲＬＭのために使用される。代替として、セルがオン状態であるとき、ＰＣｅｌｌのために設定された制限された測定セット０は、ＳＣｅｌｌ  ＲＲＭ／ＲＬＭのために使用されることができる。セルがオフ状態であるとき、ＳＳＣｅｌｌのために設定された制限された測定セットは、ＲＲＭ／ＲＬＭのために使用される。
【０１１３】
柔軟な干渉測定をサポートするために、端末は、測定帯域幅内で資源ブロック（Resource Block；ＲＢ）もしくは資源ブロックグループ（Resource Block Group；ＲＢＧ）ごとにＲＲＭ測定を報告するように設定されることができる。測定帯域幅が６個の資源ブロックであると仮定し、資源ブロックごとにＲＲＭのフラグ（flag）がトリガされる場合、端末がサービングセルもしくは測定ターゲットセルのために資源ブロックごとにＲＳＲＱを報告することが予想される。ＰＲＢごとにＲＳＲＱを測定するために、端末は、他の手法を有する。第一に、端末は、測定帯域幅にわたってＲＳＲＰを測定でき、ＰＲＢごとにＲＳＲＱを得るために、ＰＲＢごとにＲＳＳＩを測定できる。代替として、端末は、各ＰＲＢにわたってＲＳＲＰを測定でき、ＰＲＢごとにＲＳＲＰを得るためにＰＲＢごとにＲＳＳＩを測定できる。ここで、正常にＲＳＲＰおよびＲＳＲＱは報告されることができ、測定帯域幅内でＰＲＢごとにＲＳＳＩのセットは、別個に報告されることができる。
【０１１４】
その上、ＰＳＳ／ＳＳＳおよびセル共通参照信号などの規則的な同期チャネルおよび参照信号の代わりに、ディスカバリ信号を検出し、ＲＲＭ測定のためのディスカバリ信号を使用する場合、このようなＲＳＲＱおよび／もしくはＲＳＳＩの測定をトリガするためのオプションは、測定要求で資源ブロックフラグごとにＲＲＭをトリガする（測定対象ごとにトリガする）か、もしくは、一旦上位層トリガリングが発生すると、すべてのＲＲＭ測定にトリガが適用されるかであり、または、端末は、ＰＲＢごとにＲＲＭがデフォルトとして使用されると仮定することができる。（Furthermore, the options to trigger this RSRQ and/or RSSI measurement is to either trigger of the RRM Per RB flag in the measurement request (trigger per measurement object) or triggered applied to all RRM measurement once higher layer triggering has occurred or UE may assume RRM per PRB is used as default when it detects discovery signal and use discovery signals for RRM measurement instead of regular synchronization channels and reference signals such as PSS/SSS and cell specific RS.）または、追加の資源ブロックごとのＲＳＲＱもしくは資源ブロックごとのＲＳＳＩは、これを報告するために設定される場合、端末により報告されるように定義されることができる。
【０１１５】
同様に、本発明は、サブフレームごとに測定が適用される。これをサポートするために、一つのＲＲＭ測定のために使用されるサブフレームの個数は、ＲＳＲＱ（および／もしくはＲＳＳＩ）が測定サブフレーム内において平均を求めるよりむしろ別個に各サブフレームごとに報告される測定帯域幅に加えて、定義される。例えば、測定サブフレームが５であると、サブフレーム＃０から始まりサブフレーム＃４まで、各サブフレーム（＃０から＃４まで）ごとにＲＲＭ測定は、別個に報告されることができる。測定のためどの無線フレームをいくつ選択するかは、具現（実施態様）（implementation）に左右される。
【０１１６】
図８および図９は、本発明の好ましい実施の形態に係る資源ブロックごとのＲＲＭ測定を示す。
【０１１７】
図８を参照すると、ＰＲＢごとのＲＳＳＩの例を示す。サービングセルおよび隣接セルは、測定サブフレームにおいてＰＲＢのサブセットをミュート（mute）するために調整されるとき、ＰＲＢごとに報告されたＲＳＳＩは、隣接セルからの干渉を推定するために使用されることができる。例えば、端末は、セル３が測定サブフレームにおいてＰＲＢのサブセットでミュートされるので、ＰＲＢ  １ごとのＲＳＳＩがセル２からの干渉と似ていることを確認し測定する。端末は、セル１が測定サブフレームにおいてＰＲＢのサブセットでミュートされるから、ＰＲＢ２ごとのＲＳＳＩがセル３からの干渉と似ていることを確認し測定する。端末は、セル２が測定サブフレームにおいてＰＲＢのサブセットでミュートされるから、ＰＲＢ３ごとのＲＳＳＩがセル１からの干渉と似ていることを確認し測定する。
【０１１８】
図９は、三つの小規模セルの場合におけるＰＲＢごとのＲＳＲＱの例を示す。サブフレームのサブセットが同期したネットワークにおいてＲＲＭ測定のために使用される場合、ディスカバリチャネルを伝達するサブフレームは、ＲＲＭ測定のために使用され、端末は、ランダムに選択するよりむしろディスカバリチャネルを伝達するサブフレームだけを受け取ると予想される。その上、このようなサブフレームがＣＳＩ−ＲＳ資源も伝達すると仮定することができる。その上、クラスタ（複数の（多重）（multiple）セルのセット）は、各クラスタが異なるディスカバリ信号により識別される同じディスカバリチャネルシーケンスを共有できると仮定することができる。
【０１１９】
例えば、ディスカバリチャネルは、Ｎ個のクラスタまで区別できる（例えば２４個のクラスタ）。セルＩＤの最下位３ビットがクラスタ内の固有のＩＤのために使用され、セルＩＤの最上位６ビットがクラスタＩＤのために使用されることができる。例えば、セルＩＤ＝５０３（１１１１１０１１１）は、クラスタＩＤ＝６２およびクラスタ内のＩＤ＝７を示す。サブフレーム内の便利なＲＲＭ測定のために、端末は、報告するように要求されることができる。クラスタのためのＲＳＲＱが使用される場合、ＲＳＲＰはディスカバリ信号にわたって測定され、ＲＳＳＩはディスカバリ信号を伝達するＯＦＤＭシンボル（のすべて）にわたって、（もしくはすべてのＯＦＤＭシンボルにわたって）測定される。（When RSRQ for the cluster is used, the RSRP measured over discovery signals, RSSI over OFDM symbols carried discovery signals (or over all OFDM symbols).）クラスタ内でセルごとに個々のＲＳＲＱが使用される場合、クラスタ内の各セルは、ＣＳＩ−ＲＳ資源要素が通常のＣＰおよび拡張ＣＰの各々のための４個のＣＳＩ参照信号に対応し、ＣＳＩ  ＲＳ設定インデックスがクラスタ％Ｍ（例えば、クラスタ内で異なるＩＤの最大数であるＭ＝８）内のＩＤにより決定される場合に、ＣＳＩ−ＲＳ資源上においてエネルギを転送する。（When individual RSRQ per cells within the cluster can be used, each cell within a cluster transmits energy on a CSI-RS resource where CSI-RS resource elements corresponding to the four CSI reference signal for normal and extended CP respectively where the CSI RS configuration index is determined by ID within a cluster % M (e.g., M = 8 which is the maximum number of IDs differentiated within a cluster).）クラスタＩＤがＣＳＩ−ＲＳシーケンスを生成するために使用されるはずで、このように端末がＣＳＩ−ＲＳ資源の位置だけにより各セルを識別できることに注目されたい。
【０１２０】
その上、他のＣＳＩ−ＲＳ資源要素はミュートされる。例えば、セルＩＤ＝５０３およびＭ＝８である場合、ＣＳＩ  ＲＳ設定７は、ＣＳＩ−ＲＳ転送のために使用され、セルＩＤ＝５０３によるＣＳＩ  ＲＳ設定０−６の資源要素は、ミュートされる。ＩＭＲ＝ＣＳＩ  ＲＳ設定０−６と共にＣＳＩ  ＲＳ設定７においてＲＳＲＰを測定することによって、端末は、セルＩＤ＝５０３のセルのために、ＲＳＲＱを測定できる。端末は、Ｍ個までのＲＳＲＱを報告するはずである。ディスカバリ信号およびＣＳＩ  ＲＳ設定０−（Ｍ−１）が衝突する場合、ディスカバリ信号は、転送されないことができる。または、追加の資源要素は、クラスタ内における個々のＲＳＲＱ測定を目的としてディスカバリ信号と衝突しないと定義されることができる。
【０１２１】
それとも、端末がＰＤＣＣＨもしくはディスカバリ信号を読み取るように設定されるごとに、端末が測定を行うことができると仮定できる。例えば、端末は、ディスカバリ信号転送サブフレーム上において、ならびにＤＲＸオンデュレーションおよびＳＣｅｌｌの活性化もしくはＰＣｅｌｌの関連付け（アソシエーション）により活性化されるサブフレーム上において、測定を行うことができる。（For example, a UE may perform measurement on discovery signal transmission subframes and DRX on durations and subframes activated by SCell activation or PCell association.）端末がディスカバリ信号もしくはＭＲＳに基づいた週波数間および／もしくは周波数内の測定を行う場合、隣接セルに関する周波数およびこのような参照信号の位置を、端末は、明示的シグナリングもしくは暗黙的なシグナリングを介して知ることができるとさらに仮定することができる。
【０１２２】
本発明を達成するための一方法は、サービングセルの測定のために設定されたサブフレームにおいて、端末が周波数間のために隣接セルの測定も行うことができるようにネットワークの同期もしくは整列（同調）（alignment）を介して隣接セル中でディスカバリ信号の転送を整列する（同調させる）（align）ことである。他のサブフレームにおいて、端末は、測定信号が転送されると仮定しない。これをサポートするために、端末があるサブフレームおよび短い時間周期（short-time period）にわたってＭＲＳに基づく測定を行う場合、短期的な（short-term）測定をサポートすることが好ましい。しかし、このような測定は、長期的な平均測定が異なる場合に、短期的な測定をキャプチャ（取得）（capture）できるのでハンドオーバを決定するのに非効率的でありうる。
【０１２３】
このように、短期的な測定は、正確さに欠け、ハンドオーバの決定のために使用される場合、ピンポン効果（ping-pong effects）を引き起こすことができる変動がある測定報告に達することができる。このように、ＣＲＳを使用するレガシパフォーマンス（performance）と比較して、ディスカバリ信号もしくはＭＲＳによって同一もしくは優れたパフォーマンスを達成することは好ましい。ＭＲＳベースの測定によるさらに他の潜在的な問題は、すべてのセルがオフ状態であるか、もしくはミューティング（muting）が適用される場合、測定がディスカバリ信号からの干渉だけをキャプチャする場合を含む。小規模セルがクラスタ内で同期し、小規模セルは、サブフレームにおいてＣＳＩ−ＲＳに基づいた測定／ディスカバリ信号を同時に転送すると仮定する。ＩＭＲもしくはＺＰ−ＣＳＩ−ＲＳは、この場合にディスカバリ信号のパフォーマンスを向上させるために利用されることができる。ＲＳＲＰを測定することに関して、ＣＳＩ−ＲＳを伝達するシンボル／資源要素だけが使用されることができる。しかしながら、ＲＳＳＩに対しては、ミューティングを適用したかのように難しくなることができる。一つの方法は、ＲＳＳＩが設定されたＩＭＲから測定されるように各セルごとにＩＭＲを割り当てることである。
【０１２４】
言い換えれば、特別なセルのために設定されたＩＭＲのために、他のセルは、ミューティングを行うことに対し、特別なセルだけがデータを転送する。このように、設定されたＩＭＲにおいて信号強度を読み取ることによって、端末は、特別なセルから潜在的な干渉レベルを測定できる。これが使用される場合、必要なＩＭＲ設定の個数は、多数の隣接セルによって増えることができる。さらに他の手法は、例えばＣＳＩ−ＲＳベースのディスカバリ信号を転送する特定のセル以外の干渉を生成するすべてのセルのために使用される特定のＩＭＲを割り当てることである。（Another approach is to assign a specific IMR which is used for all cells to create interference except for a specific cell which will transmit CSI-RS based discovery signal for example.）このように、セルからのディスカバリ信号は、ＣＳＩ−ＲＳの資源位置が、他のセルによりミュートされ、ＩＭＲの資源位置が、他のセルにより転送のために使用される場合、ＣＳＩ−ＲＳおよびＩＭＲの資源設定の対を有する。複数のセルが小規模セルクラスタ内に存在する場合、複数のＩＭＲ設定が必要であるだけでなく、複数のＣＳＩ−ＲＳ設定がありうる。
【０１２５】
図１０は、本発明の実施の形態に係る無線通信システムを示すブロック図を示す。
【０１２６】
基地局１０５０は、プロセッサ１０５１、メモリ１０５２、ＲＦ部１０５３を備える。メモリ１０５２は、プロセッサ１０５１に接続され、プロセッサ１０５１を駆動するための多様な情報を格納する。ＲＦ部１０５３は、プロセッサ１０５１に接続され、無線信号を転送および／もしくは受信する。プロセッサ１０５１は、提案された機能、手順、および／もしくは方法を具現する。図２から図９までの実施の形態において、基地局の動作は、プロセッサ１０５１により具現化されることができる。
【０１２７】
特に、プロセッサ１０５１は、他の周波数と共に一つもしくは複数のＳＣｅｌｌを設定でき、本発明のためにプロセッサ１０５１は、一つもしくは複数のＳＣｅｌｌのための測定を設定する。測定設定は、ＳＣｅｌｌ活性化もしくはセルのオン／オフ（on/off）に基づいて、ディスカバリ信号もしくはＭＲＳ転送サブフレーム上において測定を行うために使用される。（The measurement configurations are used for performing measurement on a discovery signal or MRS transmission subframes based on SCell activation or cell on/off.）また、プロセッサ１０５１は、ＲＲＭ測定のためのＣＳＩ−ＲＳを設定でき、ＲＲＭ測定は、測定ターゲットセルに応じて資源ブロックごとにセットされ、ＰＲＢのサブセットは、ＲＲＭ測定のために設定される。言い換えれば、プロセッサ１０５１は、制限された測定のための次世代測定対象およびレガシ測定対象を含む測定を設定でき、端末により適応的に測定を行うためにサポートする測定タイプを指示する。
【０１２８】
ここで、プロセッサ１０５１は、またマクロｅＮＢ（Master eNB）のＰＣｅｌｌのためのＲＬＭおよびＲＲＭ測定ならびにピコｅＮＢ（serving eNB）のＳｕｐｅｒ  ＳＣｅｌｌもしくはＭａｓｔｅｒ  ＳＣｅｌｌのためのＲＬＭおよびＲＲＭ測定を含む測定セットを生成できる。また、測定セットは、測定ターゲットセルもしくは各設定されたセットに応じたＭＲＳにおける、測定信号タイプ、帯域幅および／もしくは周波数／ＰＲＢｓ、測定周期および／もしくはオフセット、セルＩＤ、サブフレームの数を含む。（Also, the measurement set includes measurement signal type, a bandwidth and/or frequency/PRBs, measurement period and/or offset, cell ID, a number of subframes in a measurement RS according to a measurement target cell or an each configured set.）それで、プロセッサ１０５１は、予め指定されたＰＲＢによって設定されたサブフレームにおいてＣＲＳ／ＴＲＳもしくはＣＳＩ−ＲＳもしくはＭＲＳを使用するための他の参照信号を転送するために制御できる。ここで、プロセッサ１０５１は、ＲＲＭ（および／もしくはＲＬＭ）のための（一つもしくは複数の）制限されたサブフレームのためのＡＢＳパターンを設定できる。
【０１２９】
そして、プロセッサ１０５１は、第１番目のパターンがＰＣｅｌｌのためのＲＬＭ（radio link monitoring）およびＲＲＭ（Radio Resource Management）の制限された測定のために使用され、第２番目のパターンがＰＣＩ（Physical Cell ID）により指示されるセル上においてＲＲＭの制限された測定のために使用され、または、第３番目のパターンが制限されたＣＳＩ（Channel State Information）測定により使用される制限された測定を設定できる。
【０１３０】
無線装置１０６０は、プロセッサ１０６１、メモリ１０６２、ＲＦ部１０６３を備える。メモリ１０６２は、プロセッサ１０６１に接続され、プロセッサ１０６１を駆動するための多様な情報を格納する。ＲＦ部１０６３は、プロセッサ１０６１に接続され、無線信号を転送および／もしくは受信する。プロセッサ１０６１は、提案された機能、手順、および／もしくは方法を具現する。図２から図９までの実施の形態において、端末の動作は、プロセッサ１０６１により具現化されることができる。
【０１３１】
特に、プロセッサ１０６１は、他の周波数と共に一つもしくは複数のＳＣｅｌｌを設定でき、本発明のためにプロセッサ１０６１は、制限された測定のための次世代測定対象およびレガシ測定対象を含む適応的な測定セットを設定し、測定設定において測定タイプに応じた制限された測定で設定されたサブフレームで測定信号を使用して測定を行う。
【０１３２】
プロセッサ１０６１は、予め指定されたＰＲＢもしくは資源でＣＲＳ／ＴＲＳ（もしくはＣＳＩ−ＲＳ）を含むディスカバリ信号またはＭＲＳ（measurement reference signal）などの測定信号を受信し確認することができる。また、プロセッサ１０６１は、測定ターゲットセルに応じて予め指定された帯域幅で測定信号を受信することができる。プロセッサ１０６１は、制限された測定のためにセルがオン状態であるかもしくはオフ状態であるかを考慮することによって測定を行うことができる。
【０１３３】
プロセッサ１０６１は、制限された測定が、第１番目のパターンがＰＣｅｌｌのためのＲＬＭ（radio link monitoring）およびＲＲＭ（Radio Resource Management）の制限された測定のために使用され、第２番目のパターンがＰＣＩ（Physical Cell ID）により指示されるセル上においてＲＲＭの制限された測定のために使用され、もしくは第３番目のパターンが制限されたＣＳＩ（Channel State Information）測定により使用されることを含むことを確認することができる。また、測定セットは、マクロｅＮＢ（Master NB）のＰＣｅｌｌのためのＲＬＭおよびＲＲＭ測定ならびにピコｅＮＢ（serving eNB）のＳｕｐｅｒ  ＳＣｅｌｌもしくはＭａｓｔｅｒ  ＳＣｅｌｌのためのＲＬＭおよびＲＲＭ測定を含むセットを含む。
【０１３４】
より具体的には、無線装置１０６０は、測定タイプに関する情報を識別し、上記測定タイプは、第１番目の測定対象および第２番目の測定対象のうちの何れか一つを指示する。したがって、無線装置１０６０は、測定タイプにより指示される測定対象のための測定信号を使用して、測定を行う。もちろん、無線装置１０６０は、基地局から測定設定を受信して決定でき、上記測定設定は、セル情報および第１番目の測定対象および第２番目の測定対象に関する情報を含み、上記セル情報は、第１番目の測定対象もしくは第２番目の測定対象が適用されるセルを指示する。上記無線装置１０６０は、第１番目のサブフレームフィールドおよび第１番目の測定資源フィールドを含む第１番目の測定対象を決定でき、上記第１番目のサブフレームフィールドは、測定が行われる複数のサブフレームのうち、少なくとも一つのサブフレームを指示し、上記第１番目の測定資源フィールドは、測定が行われる資源ブロックを指示し、第２番目の測定対象は、第２番目のサブフレームフィールドおよび第２番目の測定資源フィールドを含み、上記第２番目のサブフレームフィールドは、測定が行われる複数のサブフレームのうち、少なくとも一つのサブフレームを指示し、上記第２番目の測定資源フィールドは、測定が行われる資源ブロックを指示する。ここで、無線装置１０６０は、第１番目のサブフレームフィールドにより指示されるサブフレームの数が第２番目のサブフレームにより指示されるサブフレームの数より多いことを決定できる。（Here, the wireless device 1060 can determine that a number of subframes indicated by the first subframe field is greater than a number of subframes indicated by the second subframe field.）
【０１３５】
また、無線装置１０６０は、基地局から測定タイプに関する情報を受信することができるか、もしくは制限された測定を適用するために決定されたディスカバリ信号、ＭＲＳ（measurement reference signal）およびＣＲＳ（cell-common RS）のうちの何れか一つを含む測定信号を検出することによって、測定タイプを得ることができる。第１番目の測定対象によって制限された測定は、ＰＣｅｌｌ（Primary Cell）のためのＲＬＭ（Radio Link Monitoring）およびＲＲＭ（Radio Resource Management）の制限された測定、ＰＣＩ（Physical Cell ID）により指示されたセル上におけるＲＲＭの制限された測定、もしくは、制限されたＣＳＩ（Channel State Information）測定のうちの何れか一つに対して適用される。（The restricted measurement with the first measurement object is applied for one of a restricted measurement of radio link monitoring (RLM) and Radio Resource Management (RRM) for a Primary cell (Pcell), a restricted measurement of RRM on a cell indicated by a Physical Cell ID (PCI), or a restricted Channel State Information (CSI) measurement.）
【０１３６】
また、第１番目の測定対象は、第１番目の基地局のＰＣｅｌｌのためのＲＬＭおよびＲＲＭの測定ならびに第２番目の基地局のＳｕｐｅｒ  ｓｅｒｖｉｎｇ  ｃｅｌｌ（ＳＣｅｌｌ）もしくはＭａｓｔｅｒ  ＳＣｅｌｌのためのＲＬＭおよびＲＲＭの測定を設定するセットを含む。または、第２番目の基地局のＳｕｐｅｒ  ｓｅｒｖｉｎｇ  ｃｅｌｌ（ＳＣｅｌｌ）もしくはＭａｓｔｅｒ  ＳＣｅｌｌのためのＲＬＭおよびＲＲＭの測定のための測定対象は、第１番の基地局のＰＣｅｌｌのためのＲＬＭおよびＲＲＭの測定の第１番目の測定対象から別個に設定される。（Or, a measurement object for the measurement of RLM and RRM for the Super SCell or the Master SCell of the second base station is configured separately from the first measurement object of the a measurement of RLM and RRM for the Primary cell of the first base station.）無線装置１０６０は、ＲＳＲＰ（Reference Signal Received Power）もしくはＲＳＲＱ（Reference Signal Received Quality）の測定を含む測定を行う。
【０１３７】
上記無線装置１０６０は、測定タイプが第１番目の測定対象を指示する場合、セル情報により指示されたセルは、測定信号のための不連続転送（ＤＴＸ）セルであり、測定タイプが第２番目の測定対象を指示する場合、セル情報により指示されたセルは、測定信号のための連続転送セルであると決定できる。
【０１３８】
また、上記無線装置１０６０は、測定タイプが第１番目の測定対象を指示する場合、セル情報により指示されたセルは、非活性化されたセルで、測定タイプが第２番目の測定対象を指示する場合、セル情報により指示されるセルは、活性化されたセルであることを決定できる。また、無線装置１０６０は、測定タイプが第１番目の測定対象を指示する場合、セル情報により指示されるセルは、測定信号を受信するためのオフ状態のセルであり、測定タイプが第２番目の測定対象を指示する場合、セル情報により指示されるセルは、測定信号を受信するためのオン状態のセルであると決定できる。
【０１３９】
プロセッサは、ＡＳＩＣ（Application-Specific Integrated Circuit）、他のチップセット、論理回路および／もしくはデータ処理装置を有することができる。メモリは、ＲＯＭ（Read-Only Memory）、ランダムアクセスメモリ（Random Access Memory）、フラッシュメモリ、メモリカード、格納媒体および／もしくは他の格納装置を有することができる。ＲＦ部は、無線信号を処理するためのベースバンド回路を有することができる。実施の形態がソフトウェアにより具現化されるとき、上述した方式は、上述した機能を行うモジュール（手順、機能など）により具現化されることができる。モジュールは、メモリに格納され、プロセッサにより実行されることができる。メモリは、プロセッサの内部もしくは外部で具現化されることができ、周知の多様な手段によりプロセッサと通信可能に（communicatively）接続されることができる。
【０１４０】
上述した例示的なシステムにおける方法は、一連のステップもしくはブロックでフローチャートに基づいて説明されているが、本発明は、ステップの順序に限定されるものではなく、あるステップは、上述したのと異なるステップおよび異なる順序で同時に発生できる。また、当業者であれば、フローチャートに示したステップが排他的でなく、他のステップが含まれるか、もしくはフローチャートの一つもしくは複数のステップが本発明の範囲に影響を及ぼさないで削除されうることを理解できるはずである。
【図１】
0006047668.tif 000007
【図２】
0006047668.tif 000008
【図３】
0006047668.tif 000009
【図４】
0006047668.tif 000010
【図５】
0006047668.tif 000011
【図６】
0006047668.tif 000012
【図７】
0006047668.tif 000013
【図８】
0006047668.tif 000014
【図９】
0006047668.tif 000015
【図１０】
0006047668.tif 000016